(57)【要約】  外部記憶装置に機能を追加することなく、外部記憶装置のパスワードによるロックを自動的に解除することが可能な電子機器を提供する。  電子機器１００は、パスワードによりロック可能なメモリカード２００を接続するメモリカード接続手段１０８と、メモリカード２００のパスワードを保持するパスワード保持手段１０１と、メモリカード接続手段１０８に接続されたメモリカード２００がロック状態であるか否かを判定するロック状態判定手段１０６と、メモリカード２００がロック状態であると判定された場合、パスワードに基づいて、メモリカード２００のロック状態を解除するためのロック解除信号を送信する設定解除手段１０５とを有して構成される。
2009028052.tif 000002
【特許請求の範囲】
【請求項１】
パスワードによりロック可能な外部記憶装置を接続する外部記憶装置接続部と、
外部記憶装置のパスワードを保持するパスワード保持部と、
前記外部記憶装置接続部に接続された外部記憶装置がロック状態であるか否かを判定するロック状態判定部と、
前記ロック状態判定部により前記外部記憶装置がロック状態であると判定された場合、前記パスワードに基づいて、前記外部記憶装置のロック状態を解除するためのロック解除信号を送信するロック解除部と
を有する電子機器。
【請求項２】
請求項１に記載の電子機器であって、更に、
前記外部記憶装置を識別するための識別情報を取得する識別情報取得部を有し、
前記パスワード保持部は、外部記憶装置の識別情報とパスワードとを関連付けて保持し、
前記ロック解除部は、前記識別情報取得部に取得された識別情報と同一の識別情報が前記パスワード保持部に保持されている場合、前記識別情報に関連付けられたパスワードに基づいて、前記ロック解除信号を送信する電子機器。
【請求項３】
請求項２に記載の電子機器であって、
前記ロック解除部は、前記ロック解除信号の送信後、ロック解除に失敗した場合、入力部により入力されたパスワードに基づいて、前記ロック解除信号を再送信する電子機器。
【請求項４】
請求項３に記載の電子機器であって、
前記ロック解除部は、前記ロック解除信号の再送信後、ロック解除に成功した場合、前記識別情報取得部により取得された識別情報と前記入力部により入力されたパスワードとを関連付けて前記パスワード保持部へ保存する電子機器。
【請求項５】
請求項１に記載の電子機器であって、
前記ロック解除部は、前記パスワード保持部に保持されたパスワードに基づいて前記ロック解除信号を送信した後、ロック解除に失敗した場合、前記パスワード保持部に保持された他のパスワードに基づいて前記ロック解除信号を送信する電子機器。
【請求項６】
請求項１ないし５のいずれか１項に記載の電子機器であって、更に、
前記外部記憶装置へ前記パスワードを設定するためのパスワード設定信号を送信するパスワード設定部を有する電子機器。
【請求項７】
請求項６に記載の電子機器であって、
前記パスワード設定部は、入力部により入力されたパスワードを設定するための前記パスワード設定信号を送信する電子機器。
【請求項８】
請求項６に記載の電子機器であって、更に、
前記パスワードを設定または消去するためのパスワードモードを設定するパスワードモード設定部を有し、
前記パスワード設定部は、前記パスワードモードとしてパスワード設定モードが設定された場合、前記識別情報取得部によって取得された識別情報に関連付けられたパスワードに基づいて、前記パスワード設定信号を送信する電子機器。
【請求項９】
請求項８に記載の電子機器であって、更に、
前記パスワードモードとしてパスワード消去モードが設定された場合、前記識別情報取得部によって取得された識別情報に関連付けられたパスワードに基づいて、前記パスワードを消去するためのパスワード消去信号を送信するパスワード消去部を有する電子機器。
【請求項１０】
請求項８または９に記載の電子機器であって、更に、
当該電子機器の備える機能をロックまたはロック解除するための本体ロックモードを設定する本体ロックモード設定部を有し、
前記パスワードモード設定部は、前記本体ロックモードとしてロックモードが設定された場合、前記パスワードモードとして前記パスワード設定モードを設定する電子機器。
【請求項１１】
請求項１０に記載の電子機器であって、
前記パスワードモード設定部は、前記本体ロックモードとしてロック解除モードが設定された場合、前記パスワードモードとして前記パスワード消去モードを設定する電子機器。
【請求項１２】
請求項６ないし１１に記載の電子機器であって、
前記パスワード設定部は、設定したパスワードを前記パスワード保持部へ保存する電子機器。
【請求項１３】
請求項１、２、５、６、８〜１２のいずれか１項に記載の電子機器であって、
前記パスワードは、当該電子機器の備える機能をロックまたはロック解除するためのパスワードである電子機器。
【請求項１４】
請求項１、２、５、６、８〜１２のいずれか１項に記載の電子機器であって、
前記パスワードは、当該電子機器に接続されるＩＣカードを識別するためのＩＣ識別情報に基づいたものである電子機器。
【請求項１５】
請求項１、２、５、６、８〜１２のいずれか１項に記載の電子機器であって、更に、
前記パスワードを生成するパスワード生成部を有する電子機器。
【請求項１６】
請求項１５に記載の電子機器であって、
前記パスワード生成部は、前記外部記憶装置を識別するための識別情報と当該電子機器に接続されるＩＣカードを識別するための識別情報とに基づいて、前記パスワードを生成する電子機器。
【請求項１７】
請求項１ないし１６のいずれか１項に記載の電子機器であって、更に、
前記外部記憶装置のデータへアクセスするためのデータアクセス部と、
前記データアクセス部によるアクセスが行われる期間、前記外部記憶装置へ電力を供給する電力供給部とを有し、
前記ロック解除部は、前記電力供給部により電力が供給される場合、前記ロック解除信号を送信する電子機器。
【請求項１８】
請求項１ないし１７のいずれか１項に記載の電子機器であって、更に、
前記パスワード保持部を有するＩＣカードを接続するＩＣカード接続部を有し、
前記ロック解除部または前記識別情報取得部は、前記ＩＣカードの前記パスワード保持部へのデータ参照またはデータ保存を行う場合、前記ＩＣカードへアクセス要求を行う電子機器。
【請求項１９】
請求項１４、１６、１８に記載の電子機器であって、
前記ＩＣカードは、ＳＩＭカードである電子機器。
【請求項２０】
請求項１ないし１９に記載の電子機器であって、更に、
前記外部記憶装置へのパスワードの設定状態および前記外部記憶装置のロックの設定状態の少なくとも一方を通知するための表示を行う表示部を有する電子機器。
【請求項２１】
請求項２０に記載の電子機器であって、
前記表示部は、前記外部記憶装置へパスワードが設定されており、かつ、前記外部記憶装置がロック状態である場合、その旨を表示する電子機器。
【請求項２２】
請求項２０に記載の電子機器であって、
前記表示部は、前記外部記憶装置へパスワードが設定されており、かつ、前記外部記憶装置がロック解除状態である場合、その旨を表示する電子機器。
【請求項２３】
請求項２０に記載の電子機器であって、
前記表示部は、前記外部記憶装置へのパスワードが未設定である場合、その旨を表示する電子機器。
【請求項２４】
請求項１ないし５のいずれか１項に記載の電子機器であって、
前記ロック解除信号は、前記パスワードを含む電子機器。
【請求項２５】
請求項６ないし８のいずれか１項に記載の電子機器であって、
前記パスワード設定信号は、前記パスワードを含む電子機器。
【請求項２６】
請求項９に記載の電子機器であって、
前記パスワード消去信号は、前記パスワードを含む電子機器。
【請求項２７】
請求項８に記載の電子機器であって、
前記パスワード設定部は、前記パスワードモードとしてパスワード設定モードが設定された場合、かつ、前記識別情報取得部によって取得された識別情報が前記パスワード保持部に保持されていない場合、入力部により入力されたパスワードに基づいて、前記パスワード設定信号を送信する電子機器。
【請求項２８】
請求項２１に記載の電子機器であって、
前記ロック状態判定部は、前記外部記憶装置への電力供給に基づいて前記外部記憶装置がロック状態となった場合、前記外部記憶装置へパスワードが設定されており、かつ、前記外部記憶装置がロック状態であると判定する電子機器。
【請求項２９】
請求項２２に記載の電子機器であって、
前記ロック状態判定部は、前記外部記憶装置への電力供給に基づいて前記外部記憶装置がロック状態となり、かつ、前記ロック解除信号によりロック状態の解除が成功した場合、前記外部記憶装置へパスワードが設定されており、かつ、前記外部記憶装置がロック解除状態であると判定する電子機器。
【請求項３０】
請求項２３に記載の電子機器であって、
前記ロック状態判定部は、前記外部記憶装置への電力供給に基づいて前記外部記憶装置がロック状態とならなかった場合、前記外部記憶装置へのパスワードが未設定であると判定する電子機器。
【請求項３１】
電子機器において、
前記外部記憶装置がロック状態であるか否かを判定するステップと、
パスワードによりロック可能な外部記憶装置を接続する外部記憶装置接続部に接続された外部記憶装置がロック状態であると判定された場合、外部記憶装置のパスワードを保持するパスワード保持部に保持されたパスワードに基づいて、前記外部記憶装置のロック状態を解除するためのロック解除信号を送信するステップと
を有するロック解除方法。
【請求項３２】
請求項３１に記載の各ステップをコンピュータに実行させるためのプログラム。
【発明の詳細な説明】
【技術分野】
【０００１】
本発明は、電子機器、ロック解除方法、パスワード設定方法、パスワード消去方法、およびプログラムに関し、特にパスワードによりロック可能な外部記憶媒体が接続される電子機器、パスワードのロック解除方法およびパスワードのロックを解除するためのプログラムに関する。
【背景技術】
【０００２】
従来、ＳＤカード等のメモリカードを用いて様々な情報を手軽に持ち歩くことができる。このメモリカードを電子機器に接続することで、メモリカードに保存された様々な情報を電子機器へ取り込み、電子機器において処理を行うことが可能である。【０００３】
近年、メモリカードの大容量化に伴い、個人情報や機密情報をメモリカードに格納する機会が増えている。また、メモリカードを利用するユーザのセキュリティに関する意識の高まりもあり、メモリカード内の情報を参照するためにパスワードの入力が必要なメモリカードも登場している。【０００４】
例えば、取り外しても再挿入することができ、記憶されたデータを保護する機能も有する、データを記憶するメモリカードを有するコンピュータシステムが知られている。このコンピュータシステムでは、Ｌｏｃｋ＿Ｕｎｌｏｃｋコマンドによるパスワードロックを行うことが可能である。【０００５】
しかしながら、このコンピュータシステムでは、パスワードで保護されているメモリカードの利用において、メモリカードを電子機器に挿入するなど接続する度に、また、メモリカードの電源再投入を行う度にパスワードを入力しなければならず、ユーザの負担が大きくなる。【０００６】
パスワードを毎回入力せずに済む方法の一例として、遊技場内の１つの取引端末に、利用者カード番号とその暗証番号を入力すると、中央管理装置にその情報が記憶され、所定の免除時間内は、中央処理装置に接続された他の取引端末が暗証番号の入力なしに利用できる方法が知られている（例えば、特許文献１参照）。【０００７】
また、Ｗｅｂサイトの提供者が、Ｗｅｂブラウザを通じて訪問者のコンピュータに一時的にデータを書き込んで保存する仕組みが知られている。これはＣｏｏｋｉｅシステムと呼ばれるものであり、Ｃｏｏｋｉｅにはユーザに関する情報や最後にサイトを訪れた日時、そのサイトの訪問回数、認証情報などを記録しておくことができる。したがって、メモリカードの認証にこの仕組みを用いた場合には、パスワードの入力は、メモリカードが初めて電子機器に接続された最初の一回のみ必要であり、以降はパスワードの入力が不要となる。【０００８】
さらに、入力画面に入力したＩＤ、パスワード等の入力情報をデータベースに保存し、入力画面を開く度に記録された入力情報を自動的に入力するようコンピュータに実行させるプログラムが知られている（例えば、特許文献２参照）。【０００９】
【特許文献１】特許第３３３５８７７号公報
【特許文献２】特開２００４−２５９２０８号公報
【発明の開示】
【発明が解決しようとする課題】
【００１０】
しかしながら、特許文献１の方法では、例えば所定のパスワード入力の免除時間を超過した場合やメモリカードの挿入、メモリカードの電源再投入した場合などメモリカードがロックされる場合、メモリカードへパスワードを繰り返しユーザが入力しなければならない。【００１１】
また、上記のＣｏｏｋｉｅシステムでは、メモリカード側にＣｏｏｋｉｅを生成、送信するための機能を追加しなければならないため、メモリカードを再設計する必要があり、さらにはメモリカードの小型化を実現するためにも好ましくない。【００１２】
また、特許文献２のプログラムでは、Ｗｅｂブラウザを前提としており、特定のサイトにアクセスするためのアカウントが複数ある場合等に備えて入力画面を表示するが、入力画面に対してユーザが何らかの操作を行わなければならず、ユーザの負担が増えて操作が煩雑になる。さらに、特定のサイトへアクセスするために、サイトを識別するための識別情報であるＵＲＬをクライアント（ユーザ）が指示しなければならず、ユーザの負担が増えて操作が煩雑になる。【００１３】
本発明は、上記事情に鑑みてなされたものであって、外部記憶装置に機能を追加することなく、外部記憶装置のパスワードによるロックを自動的に解除することが可能な電子機器、ロック解除方法およびプログラムを提供することを目的とする。
【課題を解決するための手段】
【００１４】
上記目的を達成するために、本発明の第１の電子機器は、パスワードによりロック可能な外部記憶装置を接続する外部記憶装置接続部と、外部記憶装置のパスワードを保持するパスワード保持部と、前記外部記憶装置接続部に接続された外部記憶装置がロック状態であるか否かを判定するロック状態判定部と、前記ロック状態判定部により前記外部記憶装置がロック状態であると判定された場合、前記パスワードに基づいて、前記外部記憶装置のロック状態を解除するためのロック解除信号を送信するロック解除部とを有する構成としている。【００１５】
この構成により、外部記憶装置に機能を追加することなく、外部記憶装置のパスワードによるロックを自動的に解除することが可能である。【００１６】
また、本発明の第２の電子機器は、前記外部記憶装置を識別するための識別情報を取得する識別情報取得部を有し、前記パスワード保持部が、外部記憶装置の識別情報とパスワードとを関連付けて保持し、前記ロック解除部が、前記識別情報取得部に取得された識別情報と同一の識別情報が前記パスワード保持部に保持されている場合、前記識別情報に関連付けられたパスワードに基づいて、前記ロック解除信号を送信する構成としている。【００１７】
この構成により、取得識別情報と保持パスワードとからロック解除を試みることが可能であり、キー操作等の入力を行うことなくパスワードによるロックを解除することが可能である。【００１８】
また、本発明の第３の電子機器は、前記ロック解除部が、前記ロック解除信号の送信後、ロック解除に失敗した場合、入力部により入力されたパスワードに基づいて、前記ロック解除信号を再送信する構成としている。【００１９】
この構成により、一度ロック解除に失敗した場合であっても、入力パスワードによるロック解除が可能となる。例えば、他の電子機器により外部記憶装置のパスワードが変更されていた場合であっても、ロック解除が可能となる。【００２０】
また、本発明の第４の電子機器は、前記ロック解除部が、前記ロック解除信号の再送信後、ロック解除に成功した場合、前記識別情報取得部により取得された識別情報と前記入力部により入力されたパスワードとを関連付けて前記パスワード保持部へ保存する構成としている。【００２１】
この構成により、取得識別情報と入力パスワードを関連付けて保存するため、これ以降のロック解除時には、パスワードによるロックを自動的に解除可能となる。【００２２】
また、本発明の第５の電子機器は、前記ロック解除部が、前記パスワード保持部に保持されたパスワードに基づいて前記ロック解除信号を送信した後、ロック解除に失敗した場合、前記パスワード保持部に保持された他のパスワードに基づいて前記ロック解除信号を送信する構成としている。【００２３】
この構成により、パスワード保持部に外部記憶装置の識別情報を備えていない場合であっても、順次パスワードを検索してロック解除を試みることが可能となる。【００２４】
また、本発明の第６の電子機器は、前記外部記憶装置へ前記パスワードを設定するためのパスワード設定信号を送信するパスワード設定部を有する構成としている。【００２５】
この構成により、例えば、外部記憶装置にパスワードが付加されていない場合など外部記憶装置にパスワード設定が可能となる。【００２６】
また、本発明の第７の電子機器は、前記パスワード設定部が、入力部により入力されたパスワードを設定するための前記パスワード設定信号を送信する構成としている。【００２７】
この構成により、ユーザのキー操作等による入力により、パスワード設定が可能となる。【００２８】
また、本発明の第８の電子機器は、前記パスワードを設定または消去するためのパスワードモードを設定するパスワードモード設定部を有し、前記パスワード設定部が、前記パスワードモードとしてパスワード設定モードが設定された場合、前記識別情報取得部によって取得された識別情報に関連付けられたパスワードに基づいて、前記パスワード設定信号を送信する構成としている。【００２９】
この構成により、パスワード設定モードの場合には、キー操作等の入力によらず自動的にパスワード設定が可能となる。例えば、当該電子機器で一度パスワード設定もしくはロック解除を行ったことがあり、その後パスワードを消去した場合には、パスワード設定モードとするのみで、パスワード保持部に保持されたパスワードを用いてパスワード設定を自動的に行うことが可能となる。【００３０】
また、本発明の第９の電子機器は、前記パスワードモードとしてパスワード消去モードが設定された場合、前記識別情報取得部によって取得された識別情報に関連付けられたパスワードに基づいて、前記パスワードを消去するためのパスワード消去信号を送信するパスワード消去部を有する構成としている。【００３１】
この構成により、パスワード消去モードの場合には、キー操作等の入力によらず自動的にパスワード消去が可能となる。【００３２】
また、本発明の第１０の電子機器は、当該電子機器の備える機能をロックまたはロック解除するための本体ロックモードを設定する本体ロックモード設定部を有し、前記パスワードモード設定部が、前記本体ロックモードとしてロックモードが設定された場合、前記パスワードモードとして前記パスワード設定モードを設定する構成としている。【００３３】
この構成により、本体ロックモードとするのみで、本体ロックモードに連動して自動的にパスワード設定を行うことが可能となる。【００３４】
また、本発明の第１１の電子機器は、前記パスワードモード設定部が、前記本体ロックモードとしてロック解除モードが設定された場合、前記パスワードモードとして前記パスワード消去モードを設定する構成としている。【００３５】
この構成により、本体ロック解除モードとするのみで、本体ロック解除モードに連動して自動的にパスワード消去を行うことが可能となる。【００３６】
また、本発明の第１２の電子機器は、前記パスワード設定部が、設定したパスワードを前記パスワード保持部へ保存する構成としている。【００３７】
この構成により、このパスワード設定以降においては、外部記憶装置を当該電子機器に接続するだけで自動的にパスワードによるロックを解除することが可能となる。【００３８】
また、本発明の第１３の電子機器は、前記パスワードが、当該電子機器の備える機能をロックまたはロック解除するためのパスワードである構成としている。【００３９】
この構成により、本体ロックパスワードと外部記憶装置のパスワードが同一となるので、ユーザが暗記しなければならないパスワードの数を少なくすることができる。【００４０】
また、本発明の第１４の電子機器は、前記パスワードが、当該電子機器に接続されるＩＣカードを識別するためのＩＣ識別情報もしくはＩＣ識別情報に基づいたものである構成としている。また、キー操作等の入力によらずパスワード設定が可能である。【００４１】
この構成により、ユーザが暗記しなければならないパスワードの数を少なくすることができる。また、キー操作等の入力によらずパスワード設定が可能である。【００４２】
また、本発明の第１５の電子機器は、前記パスワードを生成するパスワード生成部を有する構成としている。【００４３】
この構成により、キー操作等の入力によらずパスワードが設定できる。また、乱数や時間を用いたりＩＣカードの識別情報の変換や暗号化を行ったりしてパスワード生成を行うことで、セキュリティの高いパスワードとなる。【００４４】
また、本発明の第１６の電子機器は、前記パスワード生成部が、前記外部記憶装置を識別するための識別情報と当該電子機器に接続されるＩＣカードを識別するための識別情報とに基づいて、前記パスワードを生成する構成としている。【００４５】
この構成により、キー操作等の入力によらずパスワードが設定でき、セキュリティの高いパスワードとなる。【００４６】
また、本発明の第１７の電子機器は、前記外部記憶装置のデータへアクセスするためのデータアクセス部と、前記データアクセス部によるアクセスが行われる期間、前記外部記憶装置へ電力を供給する電力供給部とを有し、前記ロック解除部が、前記電力供給部により電力が供給される場合、前記ロック解除信号を送信する構成としている。【００４７】
この構成により、例えば省電力化を実現するために省電力設定がされている場合に、省電力設定に対応してパスワードによるロックの解除を行うことが可能となる。この場合、例えば、外部記憶装置へのアクセスが行われる場合、電力供給を行ってパスワードによるロックを解除し、外部記憶装置へのアクセスが所定期間行われていない場合、電力供給を行わないことで省電力を実現し、電力供給が再開されるたびに、自動的にロックの解除を行うことが可能となる。【００４８】
また、本発明の第１８の電子機器は、前記パスワード保持部を有するＩＣカードを接続するＩＣカード接続部を有し、前記ロック解除部または前記識別情報取得部が、前記ＩＣカードの前記パスワード保持部へのデータ参照またはデータ保存を行う場合、前記ＩＣカードへアクセス要求を行う構成としている。【００４９】
この構成により、ＩＣカード内の記憶部へパスワードやカードの識別情報を記憶させることが可能となり、パスワードが保持されたＩＣカードを他の電子機器に接続することで、他の電子機器においても、外部記憶装置を電子機器に接続するだけで、パスワード設定やロック解除を実施することが可能となる。【００５０】
また、本発明の第１９の電子機器は、前記ＩＣカードが、ＳＩＭカードである構成としている。【００５１】
この構成により、ＳＩＭカードを利用した効果的なパスワード設定やロック解除等を実施することが可能となる。【００５２】
また、本発明の第２０の電子機器は、前記外部記憶装置へのパスワードの設定状態および前記外部記憶装置のロックの設定状態の少なくとも一方を通知するための表示を行う表示部を有する構成としている。【００５３】
この構成により、一見して外部記憶装置にパスワードが設定されているか否か、外部記憶装置がロック状態であるか否かを認識することが可能となる。したがって、例えば、単にパスワードが設定されていないためにロック解除状態となったのか、パスワードが設定されているためにロック状態の後に自動的にロック解除状態となったのかを見分けることができる。【００５４】
また、本発明の第２１の電子機器は、前記表示部が、前記外部記憶装置へパスワードが設定されており、かつ、前記外部記憶装置がロック状態である場合、その旨を表示する構成としている。【００５５】
この構成により、パスワード設定済みロック中であると瞬時に判断可能である。【００５６】
また、本発明の第２２の電子機器は、前記表示部が、前記外部記憶装置へパスワードが設定されており、かつ、前記外部記憶装置がロック解除状態である場合、その旨を表示する構成としている。【００５７】
この構成により、パスワードが未設定であるためロックされていないのではなく、パスワード設定済みロック解除中であると瞬時に判断可能である。【００５８】
また、本発明の第２３の電子機器は、前記表示部が、前記外部記憶装置へのパスワードが未設定である場合、その旨を表示する構成としている。【００５９】
この構成により、パスワード設定済みロック解除中であるのではなく、パスワードが未設定であるためロックされていないと瞬時に判断可能である。【００６０】
また、本発明の第２４の電子機器は、前記ロック解除信号が、前記パスワードを含む構成としている。【００６１】
この構成により、外部記憶装置はロック解除を行うことができる。【００６２】
また、本発明の第２５の電子機器は、前記パスワード設定信号が、前記パスワードを含む構成としている。【００６３】
この構成により、外部記憶装置はパスワード設定を行うことができる。【００６４】
また、本発明の第２６の電子機器は、前記パスワード消去信号が、前記パスワードを含む構成としている。【００６５】
この構成により、外部記憶装置はパスワード消去を行うことができる。【００６６】
また、本発明の第２７の電子機器は、前記パスワード設定部が、前記パスワードモードとしてパスワード設定モードが設定された場合、かつ、前記識別情報取得部によって取得された識別情報が前記パスワード保持部に保持されていない場合、入力部により入力されたパスワードに基づいて、前記パスワード設定信号を送信する構成としている。【００６７】
この構成により、パスワード設定モードの場合には、パスワードが設定されていないメモリカードに対しても、確実にパスワードを設定することが可能となる。【００６８】
また、本発明の第２８の電子機器は、前記ロック状態判定部が、前記外部記憶装置への電力供給に基づいて前記外部記憶装置がロック状態となった場合、前記外部記憶装置へパスワードが設定されており、かつ、前記外部記憶装置がロック状態であると判定する構成としている。【００６９】
この構成により、ロック中アイコンの表示が可能となる。【００７０】
また、本発明の第２９の電子機器は、前記ロック状態判定部が、前記外部記憶装置への電力供給に基づいて前記外部記憶装置がロック状態となり、かつ、前記ロック解除信号によりロック状態の解除が成功した場合、前記外部記憶装置へパスワードが設定されており、かつ、前記外部記憶装置がロック解除状態であると判定する構成としている。【００７１】
この構成により、ロック解除中アイコンの表示が可能となる。【００７２】
また、本発明の第３０の電子機器は、前記ロック状態判定部が、前記外部記憶装置への電力供給に基づいて前記外部記憶装置がロック状態とならなかった場合、前記外部記憶装置へのパスワードが未設定であると判定する構成としている。【００７３】
この構成により、パスワード未設定アイコンの表示が可能となる。【００７４】
また、本発明の第１のロック解除方法は、電子機器において、前記外部記憶装置がロック状態であるか否かを判定するステップと、パスワードによりロック可能な外部記憶装置を接続する外部記憶装置接続部に接続された外部記憶装置がロック状態であると判定された場合、外部記憶装置のパスワードを保持するパスワード保持部に保持されたパスワードに基づいて、前記外部記憶装置のロック状態を解除するためのロック解除信号を送信するステップとを有する方法としている。【００７５】
この方法により、外部記憶装置に機能を追加することなく、外部記憶装置のパスワードによるロックを自動的に解除することが可能である。【００７６】
また、本発明の第１のプログラムは、上記ロック解除方法の各ステップをコンピュータに実行させるためのプログラムとしている。【００７７】
このプログラムにより、外部記憶装置に機能を追加することなく、外部記憶装置のパスワードによるロックを自動的に解除することが可能である。
【発明の効果】
【００７８】
本発明によれば、外部記憶装置に機能を追加することなく、外部記憶装置のパスワードによるロックを自動的に解除することが可能な電子機器、ロック解除方法、プログラムを提供できる。
【図面の簡単な説明】
【００７９】
【図１】本発明の第１の実施形態における電子機器の概略構成の一例を示す図
【図２】本発明の第１の実施形態におけるパスワード保持テーブルの一例を示す図
【図３】本発明の第１の実施形態における電子機器の動作の一例を示すフローチャート
【図４】本発明の第１の実施形態における電子機器の動作の一例を示すフローチャート
【図５】本発明の第２の実施形態における電子機器の概略構成の一例を示す図
【図６】本発明の第３の実施形態における電子機器の概略構成の一例を示す図
【図７】本発明の第３の実施形態における電子機器がパスワード消去モードの場合の動作の一例を示すフローチャート
【図８】本発明の第３の実施形態における電子機器がパスワード設定モードの場合の動作の一例を示すフローチャート
【図９】本発明の第４の実施形態における電子機器の概略構成の一例を示す図
【図１０】本発明の第５の実施形態における電子機器の概略構成の一例を示す図
【図１１】本発明の第６の実施形態における電子機器の概略構成の一例を示す図
【図１２】本発明の第７の実施形態における電子機器の概略構成の一例を示す図
【図１３】本発明の第８の実施形態における電子機器の概略構成の一例を示す図
【図１４】本発明の第９の実施形態における表示を行う電子機器の一例および電子機器の表示部が表示するアイコンの一例を示す図
【図１５】本発明の第９の実施形態における電子機器の表示部による画面表示の一例
【図１６】本発明の第９の実施形態における電子機器の表示部による画面表示の一例
【図１７】本発明の第９の実施形態における電子機器の表示部による画面表示の一例
【図１８】本発明の第９の実施形態における電子機器の表示部による画面表示の一例
【図１９】本発明の第９の実施形態における電子機器の表示部による画面表示の一例
【符号の説明】
【００８０】
１００  電子機器
１０１  パスワード保持手段
１０２  入力手段
１０３  電力供給手段
１０４  カード固有ＩＤ取得手段
１０５  設定解除手段
１０６  ロック状態判定手段
１０７  データアクセス手段
１０８  メモリカード接続手段
１０９  電力制御手段
１１０  パスワードモード設定手段
１１１  パスワード消去手段
１１２  ＩＣカード接続手段
１１３  本体ロック手段
１１４  ＩＣ固有ＩＤ変換手段
１１５  パスワード生成手段
１１６  本体ロックモード設定手段
１１７  表示部
２００  メモリカード
２０１  電子機器接続手段
２０２  データ記憶手段
２０３  パスワード判定手段
２０４  パスワード保持手段
２０５  ロック手段
２０６  カード固有ＩＤ送信手段
３００  ＩＣカード
３０１  パスワード保持手段
【発明を実施するための最良の形態】
【００８１】
本発明の実施形態における電子機器、ロック解除方法、およびプログラムについて、図面を用いて以下に説明する。【００８２】
（第１の実施形態）
図１は、本発明の第１の実施形態における電子機器１００およびメモリカード２００の概略構成の一例を示す図である。【００８３】
電子機器１００は、パスワード保持手段１０１、入力手段１０２、電力供給手段１０３、カード固有ＩＤ取得手段１０４、設定解除手段１０５、ロック状態判定手段１０６、データアクセス手段１０７、メモリカード接続手段１０８を有して構成される。電子機器１００としては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【００８４】
尚、メモリカード接続手段１０８は「外部記憶装置接続部」の一例である。また、設定解除手段１０５は「ロック解除部」、「パスワード設定部」としての機能を有する。また、カード固有ＩＤ取得手段１０４は「識別情報取得部」としての機能を有する。【００８５】
メモリカード２００は、電子機器接続手段２０１、データ記憶手段２０２、パスワード判定手段２０３、パスワード保持手段２０４、ロック手段２０５、カード固有ＩＤ送信手段２０６を有して構成される。ここでは、外部記憶装置の一例としてメモリカード２００について説明するが、外部記憶装置としては、例えばハードディスク、ＤＶＤ等のディスクメディア、ＳＳＤ（Ｓｏｌｉｄ  Ｓｔａｔｅ  Ｄｒｉｖｅ）やＵＳＢメモリ等の半導体メモリデバイスなどの記憶装置も考えられる。また、メモリカード２００としては、ＳＤ（Ｓｅｃｕｒｅ  Ｄｉｇｉｔａｌ）カードやＭＭＣ（Ｍｕｌｔｉ  Ｍｅｄｉａ  Ｃａｒｄ）、メモリースティック、ｘＤピクチャーカード、コンパクトフラッシュ（登録商標）、スマートメディアなどが考えられる。【００８６】
パスワード保持手段１０１は、設定解除手段１０５によって設定されたパスワードを保持している。例えば、パスワード保持手段１０１はパスワード保持テーブル１０１ａを有する。パスワード保持テーブル１０１ａには、メモリカード２００を識別するためのカード固有ＩＤとそのカードのパスワードとが関連付けられて（対にして）保存される。図２はパスワード保持テーブル１０１ａの一例である。【００８７】
カード固有ＩＤは、通常、メモリカード２００毎に割り振られているものであるが、例えばメモリカード２００が複数のパーティションを備える場合には、パーティション毎にカード固有ＩＤ、パスワードを設けることも可能である。また、この場合には、カード固有ＩＤは１つとし、パーティション毎にパスワードのみを異なるものにすることも可能である。これにより、パーティション毎にロック状態としたり、ロック解除状態としたりすることが可能である。【００８８】
また、パスワード保持テーブル１０１ａにカード固有ＩＤを保存せずに、パスワードのみを保存するようにしてもよい。この場合、カード固有ＩＤに関連付けられたパスワードが取得されるのではなく、例えばパスワード保持テーブル１０１ａにおいて昇順にパスワードが参照されて、所定の条件を満たすものが取得される。【００８９】
入力手段１０２は、文字や画像、音声を入力するための手段であり、例えば入力キーやカメラ、マイクなどが考えられる。入力手段１０２は、パスワード等を入力する。【００９０】
電力供給手段１０３は、メモリカード接続手段１０８を介して、メモリカード２００へ電力の供給を行う。【００９１】
カード固有ＩＤ取得手段１０４は、メモリカード接続手段１０８を介して、メモリカード２００から送信されるカード固有ＩＤを取得し、パスワード保持手段１０１へ保存する。【００９２】
設定解除手段１０５は、入力手段１０２により入力されたパスワードをパスワード保持手段１０１へ保存する。また、設定解除手段１０５は、メモリカード接続手段１０８を介して、パスワードを設定するためのパスワード設定信号をメモリカード２００へ送信する。パスワード設定信号には、入力手段１０２またはパスワード保持手段１０１からのパスワードや制御信号が含まれる。【００９３】
また、設定解除手段１０５は、メモリカード接続手段１０８を介して、メモリカード２００のロック状態を解除するためのロック解除信号をメモリカード２００へ送信する。ロック解除信号には、パスワード保持手段１０１または入力手段１０２からのパスワードや制御信号が含まれる。【００９４】
ロック状態判定手段１０６は、メモリカード２００がパスワードによりロックされている状態か否かを判定する。例えば、メモリカード接続手段１０８を介して、メモリカード２００からロック状態信号を取得し、ロック状態であるか否かを判定する。また、ロック状態判定手段１０６は、メモリカード２００にパスワードが設定されているか否かを判定する。【００９５】
データアクセス手段１０７は、メモリカード接続手段１０８を介して、メモリカード２００のデータ記憶手段２０２に記憶されたデータへのリード処理やライト処理などを行うためのアクセス信号をメモリカード２００へ送信する。【００９６】
メモリカード接続手段１０８は、メモリカード２００を接続するための手段であり、例えば接続端子である。例えば、メモリカード２００がメモリカードスロットに挿入され、メモリカード接続手段１０８とメモリカード２００の電子機器接続手段２０１とが接続されることで、データの交換が可能な状態となる。また、メモリカード接続手段１０８は、メモリカード２００が挿入されるなど接続されたことを検出するための機能を有する。【００９７】
電子機器接続手段２０１は、電子機器１００へ接続するための手段であり、例えば接続端子である。例えば、メモリカード２００がメモリカードスロットに挿入され、電子機器１００のメモリカード接続手段１０８と電子機器接続手段２０１とが接続されることで、データの交換が可能な状態となる。【００９８】
データ記憶手段２０２は、様々なデータを記憶する。【００９９】
パスワード判定手段２０３は、ロック解除信号に含まれるパスワードとパスワード保持手段２０４に保持されたパスワードとが同一であるか否かを判定する。また、パスワード判定手段２０３は、電子機器接続手段２０１を介して、パスワード設定信号を取得した場合、パスワード保持手段２０４へパスワード設定信号に含まれるパスワードを保存する。【０１００】
パスワード保持手段２０４は、メモリカード２００のパスワードを保持する。【０１０１】
ロック手段２０５は、メモリカード２００へ電力供給が行われた場合、データ記憶部２０２へのアクセスを禁止するためのロックを行い、ロック状態とする。また、ロック手段２０５は、パスワード判定手段２０３によって判定対象のパスワードが同一と判定された場合、ロック状態を解除するためのロック解除を行う。【０１０２】
また、ロック手段２０５は、ロックを行った場合、電子機器接続手段２０１を介して、ロックされた状態であることを示すロック状態信号を電子機器１００へ送信する。また、ロック手段２０５は、ロック解除を行った場合、電子機器接続手段２０１を介して、ロック解除が完了したことを示すロック解除完了信号を電子機器１００へ送信する。また、ロック手段２０５は、ロック解除に失敗した場合、電子機器接続手段２０１を介して、ロック解除に失敗したことを示すロック解除エラー信号を電子機器１００へ送信するようにしてもよい。【０１０３】
カード固有ＩＤ送信手段２０６は、電子機器接続手段２０１を介して、カード固有ＩＤを電子機器１００へ送信する。【０１０４】
次に、電子機器１００の動作の一例について説明する。図３、図４は電子機器１００の動作の一例を示すフローチャートである。【０１０５】
メモリカード接続手段１０８が、メモリカードスロットへメモリカード２００が挿入されたなど接続されたことを検出した場合（ステップＳ１０１）、電力供給手段１０３が、メモリカード２００へ電力を供給する（ステップＳ１０２）。【０１０６】
続いて、カード固有ＩＤ取得手段１０４が、メモリカード２００からカード固有ＩＤを取得する（ステップＳ１０３）。【０１０７】
続いて、ロック状態判定手段１０６が、メモリカード２００がロック状態であるか否かを判定する（ステップＳ１０４）。この判定では、例えば、ロック状態判定手段１０６がメモリカード２００からロック状態信号を取得し、ロック状態であるか否かを判定する。【０１０８】
尚、ステップＳ１０３およびステップＳ１０４は、順不同である。【０１０９】
ロック状態でないと判定された場合、電子機器１００はメモリカード２００へのアクセスが可能な状態である。この状態では、ユーザの指示により、メモリカード２００へ様々な設定が可能である。例えば、ユーザがメモリカード２００へパスワードを設定する場合、後述する図１５に示すように、パスワード設定を行うための設定モードを選択し、入力手段１０２が、ユーザの指示により、パスワードを入力する（ステップＳ１０５）。【０１１０】
続いて、設定解除手段１０５が、入力されたパスワードをメモリカード２００に設定するために、パスワード設定信号を送信する（ステップＳ１０６）。【０１１１】
続いて、設定解除手段１０５が、取得したカード固有ＩＤと入力されたパスワードとを関連付けて、パスワード保持手段１０１へ保存する（ステップＳ１０７）。これにより、パスワードの設定が完了する。【０１１２】
ステップＳ１０４において、ロック状態であると判定された場合、設定解除部１０５が、パスワード保持手段１０１に保持されたパスワード保持テーブル１０１ａを参照し、取得したカード固有ＩＤと同一のものが存在するか否を判定する（ステップＳ１０８）。        【０１１３】
同一のカード固有ＩＤが存在した場合、設定解除手段１０５が、パスワード保持手段１０１から当該カード固有ＩＤと関連付けて（対にして）記録されているパスワードを読み出す（ステップＳ１０９）。例えば、図２では、カード固有ＩＤ「ＩＤ１」の場合にパスワード「ＰＷ１」を読み出す。【０１１４】
続いて、設定解除手段１０５が、読み出されたパスワードを含むロック解除信号を送信する（ステップＳ１１０）。【０１１５】
続いて、ロック状態判定手段１０６が、ロック解除が成功したか否かを判定する（ステップＳ１１１）。この判定では、例えば、ロック解除信号を送信してから所定期間内にロック解除完了信号を検出した場合に成功と判定してもよいし、ロック解除エラー信号を検出した場合に失敗と判定してもよい。【０１１６】
ロック解除が成功した場合は、ロック解除の処理が終了する。ロック解除が成功しなかった場合には、ステップＳ１１２の直前へ進む。【０１１７】
ステップＳ１０８において、同一のカード固有ＩＤが存在しなかった場合、または、ステップＳ１１１において、ロック解除が成功しなかった場合、入力手段１０２が、ユーザの指示により、パスワードを入力する（ステップＳ１１２）。【０１１８】
続いて、設定解除手段１０５が、入力されたパスワードを含むロック解除信号を送信する（ステップＳ１１３）。【０１１９】
続いて、ロック状態判定手段１０６が、ロック解除が成功したか否かを判定する（ステップＳ１１４）。この判定では、例えば、ロック解除信号を送信してから所定期間内にロック解除完了信号を検出した場合に成功と判定してもよいし、ロック解除エラー信号を検出した場合に失敗と判定してもよい。ロック解除が成功しなかった場合、ステップＳ１１２の直前に戻る。【０１２０】
ロック解除が成功した場合は、設定解除手段１０５が、取得したカード固有ＩＤと入力されたパスワードを関連付けて（対にして）、パスワード保持手段１０１へ保存する（ステップＳ１１５）。尚、すでにパスワードが保存されている場合には、入力されたパスワードで更新する。これにより、ロック解除およびパスワード設定の処理が終了する。【０１２１】
ロック状態が解除されると、データアクセス手段１０７は、データ記憶手段２０２に格納された様々なデータへアクセスし、リード処理、ライト処理等を行うことが可能である。【０１２２】
このような電子機器１００によれば、メモリカード２００に機能を追加することなく、メモリカード２００のパスワードによるロックを自動的に解除することが可能である。また、メモリカード２００を抜き差ししても、ユーザがパスワードを繰り返し入力することなくロックが解除されるので、利便性が向上する。【０１２３】
例えば、電子機器１００で一度パスワードの設定やロックの解除に成功したメモリカード２００が接続された場合、電子機器１００のパスワード保持手段１０１にメモリカード２００のカード固有ＩＤおよびパスワードが関連付けて記録されているため、この記録されている情報から自動的にロック解除信号を生成し、メモリカード２００へ送信する。メモリカード２００では、ロック解除信号からパスワードを取り出し、パスワード保持手段２０４内に保持されているパスワードと比較して、一致すれば自動的にロック解除を行うことができる。【０１２４】
パスワードが一致しない場合としては、電子機器１００に一度接続されてパスワード保持手段１０１へカード固有ＩＤおよびパスワードが記録された後、他の電子機器によってパスワードが変更されたことが考えられる。このように一度設定された後に変更された場合であっても、キー操作等により変更後のパスワードを入力することにより、ロック解除を行うことができる。この場合には、ロック解除を行うとともに、入力されたパスワードをカード固有ＩＤに対応するパスワードとして変更前のパスワードを更新する。したがって、これ以降のメモリカード２００の接続時には、パスワード入力を行うことなく、自動的にロック解除を行うことができる。【０１２５】
また、電子機器１００にメモリカード２００が初めて接続される場合、パスワード保持手段１０１にメモリカード２００のカード固有ＩＤおよびパスワードが記録されていないため、キー操作等によりパスワードを入力することで、ロック解除を行うことができる。この場合には、ロック解除を行うとともに、カード固有ＩＤと入力されたパスワードとを関連付けてパスワード保持手段１０１へ保存する。したがって、これ以降のメモリカード２００の接続時には、パスワード入力を行うことなく、自動的にロック解除を行うことができる。【０１２６】
さらに、電子機器１００にメモリカード２００が接続されてメモリカード２００へ電力供給が行われても、メモリカード２００のロック状態が検出されない場合、メモリカード２００へパスワードが設定されていないと考えられる。この場合には、キー操作等によりパスワードを入力することで、パスワードを設定することが可能である。パスワードの設定時には、カード固有ＩＤと入力されたパスワードとを関連付けてパスワード保持手段１０１へ保存する。したがって、これ以降のメモリカード２００の接続時には、電源供給を行うことで自動的にロックされ、パスワード入力を行うことなく、自動的にロック解除を行うことができる。【０１２７】
尚、メモリカード２００ではなく、ハードディスク等のカード固有ＩＤを保持しない外部記憶装置が電子機器１００に接続された場合には、例えば、パスワード保持テーブル１０１ａに保持されたパスワードを含むロック解除信号を送信し、ロック解除が成功するまで順次テーブル内のパスワードを検索してロック解除信号を生成し、ロック解除信号を受信するまでロック解除信号を送信し続けてもよい。これにより、カード固有ＩＤを保持しない外部記憶装置が電子機器１００に接続された場合であっても、自動的にロック解除を行うことが可能である。【０１２８】
（第２の実施形態）
図５は本発明の第２の実施形態における電子機器１００Ｂおよびメモリカード２００の概略構成の一例を示す図である。電子機器１００Ｂおよびメモリカード２００において、図１に示した電子機器１００およびメモリカード２００の構成と同一の構成要素については、同一の符号を付し、説明を省略または簡略化する。また、電子機器１００Ｂにおいては、図３、図４に示した電子機器１００の動作と類似しているため、異なる動作についてのみ説明を行う。電子機器１００Ｂとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【０１２９】
電子機器１００Ｂは、電子機器１００の構成要素に加え、電力制御手段１０９を有する。
電力制御手段１０９は、メモリカード２００へ供給する電力を制御する。【０１３０】
次に、電子機器１００Ｂの動作の一例について説明する。電子機器１００Ｂも電子機器１００と同様に図３、図４の処理を行う。【０１３１】
メモリカード２００が電子機器１００に接続されているが使用されていない場合には、電力制御手段１０９は、電力供給手段１０３によるメモリカード２００への電力供給を停止するよう制御する。つまり、電子機器１００Ｂは、図３、図４におけるステップＳ１０２〜Ｓ１１５の処理を行わず中止する。ここでは、例えば、所定期間データアクセス手段１０７によるデータアクセス要求が発生しない場合には、メモリカード２００が使用されていないと判断する。【０１３２】
また、メモリカード２００への電力供給を停止させた状態から使用される場合には、電力制御手段１０９は、電力供給手段１０３によるメモリカード２００への電力供給を再開するよう制御する。つまり、電子機器１００Ｂは、図３、図４におけるステップＳ１０２〜Ｓ１１５の処理を再開する。ここでは、例えば、データアクセス手段１０７によるデータアクセス要求が発生した場合には、メモリカード２００が使用されると判断する。【０１３３】
このような電子機器１００Ｂによれば、メモリカード２００の消費電力を抑えるためにメモリカード２００への供給電力を制御する場合であっても、ユーザがパスワードを繰り返し入力することなくロックが解除されるため、利便性が向上する。【０１３４】
（第３の実施形態）
図６は本発明の第３の実施形態における電子機器１００Ｃおよびメモリカード２００の概略構成の一例を示す図である。電子機器１００Ｃおよびメモリカード２００において、図１に示した電子機器１００およびメモリカード２００の構成と同一の構成要素については、同一の符号を付し、説明を省略または簡略化する。電子機器１００Ｃとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【０１３５】
電子機器１００Ｃは、電子機器１００の構成要素に加え、パスワードモード設定手段１１０、パスワード消去手段１１１を有する。【０１３６】
パスワードモード設定手段１１０は、メモリカード２００のパスワードを操作するためのパスワードモードとして、パスワードを設定するためのパスワード設定モードまたはパスワードを消去するためのパスワード消去モードを設定する。パスワードモードは、入力手段１０２による入力により設定されてもよい。【０１３７】
パスワード消去手段１１１は、パスワードモードがパスワード消去モードに設定された場合、メモリカード接続手段１０８を介して、メモリカード２００のパスワード保持手段２０４に保持されたパスワードを消去するためのパスワード消去信号をメモリカード２００へ送信する。パスワード消去信号には、パスワード保持手段１０１に保持されたメモリカード２００のパスワードや制御信号が含まれる。【０１３８】
また、パスワード判定手段２０３は、第１の実施形態のパスワード判定手段の機能に加え、電子機器接続手段２０１を介して、パスワード消去信号を取得した場合、パスワード保持手段２０４を検索し、パスワード消去信号に含まれるパスワードと同一のパスワードを消去する機能を有する。【０１３９】
次に、電子機器１００Ｃがパスワード消去モードの場合の動作の一例について説明する。図７は電子機器１００Ｃがパスワード消去モードの場合の動作の一例を示す図である。尚、パスワード保持手段１０１には、電子機器１００Ｃに接続されるメモリカード２００のカード固有ＩＤおよびパスワードが保持されているものとする。【０１４０】
まず、パスワードモード設定手段１１０が、パスワードモードとしてパスワード消去モードを設定する（ステップＳ２０１）。【０１４１】
続いて、カード固有ＩＤ取得手段１０４が、メモリカード２００からカード固有ＩＤを取得する（ステップＳ２０２）。尚、ステップＳ２０１およびＳ２０２は順不同である。【０１４２】
続いて、パスワード消去手段１１１が、パスワード保持手段１０１を検索し、取得したカード固有ＩＤと同一のカード固有ＩＤに対応するパスワードを読み出す（ステップＳ２０３）。尚、パスワード保持手段１０１に取得したカード固有ＩＤと同一のカード固有ＩＤが存在しなかった場合、ステップＳ１１２と同様のシーケンスで、ユーザの指示により入力手段１０２がパスワードを入力するようにしてもよい。【０１４３】
続いて、パスワード消去手段１１１が、読み出したパスワードを含むパスワード消去信号を送信する（ステップＳ２０４）。尚、パスワード消去に成功しなかった場合、ステップＳ１１２と同様のシーケンスで、ユーザの指示により入力手段１０２がパスワードを入力するようにしてもよい。パスワード消去に成功したか否かは、例えば、パスワード消去が完了した旨を示すパスワード消去完了信号をメモリカード２００から受信したか否かで判断可能である。【０１４４】
このようなパスワード消去モードを設けることにより、パスワード機能を備えておらずパスワードが付加されたメモリカードのデータを読み出すことができない他の電子機器であっても、メモリカード２００のデータを読み出すことが可能となる。【０１４５】
次に、電子機器１００Ｃがパスワード設定モードの場合の動作の一例について説明する。図８は電子機器１００Ｃがパスワード設定モードの場合の動作の一例を示す図である。尚、パスワード保持手段１０１には、電子機器１００Ｃに接続されるメモリカード２００のカード固有ＩＤおよびパスワードが保持されているものとする。【０１４６】
まず、パスワードモード設定手段１１０が、パスワードモードとしてパスワード設定モードを設定する（ステップＳ３０１）。【０１４７】
続いて、カード固有ＩＤ取得手段１０４が、メモリカード２００からカード固有ＩＤを取得する（ステップＳ３０２）。尚、ステップＳ３０１およびＳ３０２は順不同である。      【０１４８】
続いて、設定解除手段１０５が、パスワード保持手段１０１を検索し、取得したカード固有ＩＤと同一のカード固有ＩＤに対応するパスワードを読み出す（ステップＳ３０３）。尚、取得したカード固有ＩＤと同一のカード固有ＩＤが存在しない場合、パスワードを入力手段１０２により入力し、読み出されたパスワードと同様に扱ってもよい。これにより、パスワードが設定されていないメモリカード２００に対しても、確実にパスワードを設定することが可能となる。【０１４９】
続いて、設定解除手段１０５が、読み出したパスワードを含むパスワード設定信号を送信する（ステップＳ３０４）。【０１５０】
このようなパスワード設定モードを設けることにより、例えば一度パスワード設定を行ったメモリカード２００についてパスワードの削除や再設定を行う場合には、繰り返しパスワードを入力することなく自動的にメモリカード２００のパスワードを削除すること、パスワードを付加することが可能となり、利便性が向上する。【０１５１】
（第４の実施形態）
図９は本発明の第４の実施形態における電子機器１００Ｄ、メモリカード２００、およびＩＣカード３００の概略構成の一例を示す図である。電子機器１００Ｄおよびメモリカード２００において、図１に示した電子機器１００およびメモリカード２００の構成と同一の構成要素については、同一の符号を付し、説明を省略または簡略化する。また、電子機器１００Ｄにおいては、図３、図４に示した電子機器１００の動作と類似しているため、異なる動作についてのみ説明を行う。電子機器１００Ｄとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【０１５２】
電子機器１００Ｄは、電力供給手段１０３、カード固有ＩＤ取得手段１０４、設定解除手段１０５、ロック状態判定手段１０６、データアクセス手段１０７、メモリカード接続手段１０８、ＩＣカード接続手段１１２を有して構成される。【０１５３】
ＩＣカード接続手段１１２は、ＩＣカード３００を接続するための手段であり、例えば接続端子である。例えば、ＩＣカード３００がＩＣカードスロットに挿入されることで、ＩＣカード３００との間でデータの交換が可能な状態となる。【０１５４】
ＩＣカード３００は、例えばＳＩＭ（Ｓｕｂｓｃｒｉｂｅｒ  Ｉｄｅｎｔｉｔｙ  Ｍｏｄｕｌｅ）カードであり、パスワード保持手段３０１を有する。ＩＣカード３００はＩＣカード３００の識別情報としてＩＣ固有ＩＤを有する。【０１５５】
パスワード保持手段３０１は、電子機器１００のパスワード保持手段１０１と同様の機能を備えている。また、パスワード保持手段３０１は、各カード固有ＩＤに対応するパスワードとして、ＩＣ固有ＩＤを利用する場合、メモリカード２００毎に任意に設定されたパスワードを保持しなくてもよい。【０１５６】
次に、電子機器１００Ｄの動作の一例について説明する。電子機器１００Ｄも電子機器１００と同様に図３、図４の処理を行う。【０１５７】
電子機器１００Ｄは、図３、図４の処理を行う場合、カード固有ＩＤやパスワードの読み出しや保存を、ＩＣカード接続手段１１２を介して、パスワード保持手段３０１に対して行う。つまり、電子機器１００では、入力手段１０２によるパスワード入力を行ったり、パスワード保持手段１０１へカード固有ＩＤおよびパスワードの保存を行ったり、パスワード保持手段１０１からパスワードの読み出しを行ったりしたが、電子機器１００Ｄでは、パスワード保持手段１０１および入力手段１０２の代わりに、ＩＣカード３００のパスワード保持手段３０１を使用して図３、図４の処理を行い、パスワード設定やロック解除を行う。この場合、データ保存やデータ読み出し等のデータ参照を行うために、アクセス要求をＩＣカード３００へ送信する。【０１５８】
このような電子機器１００Ｄによれば、ＳＩＭカードのようなＩＣカード３００を他の電子機器に挿入して利用する場合であっても、パスワードの再入力をせずにメモリカード２００を利用することができ、利便性が向上する。また、電子機器１００Ｄの機能を有する他の機器にパスワードが格納されたＩＣカードを挿入することで、他の機器にパスワードを移行することも可能である。【０１５９】
また、パスワード保持手段３０１にパスワードとしてＩＣ固有ＩＤが保持されている場合、ユーザは一切パスワード入力を行うことなく、メモリカード２００のパスワード設定およびロック解除を行うことが可能となる。また、ユーザが暗記しなければならないパスワードの数を減らすことが可能となる。尚、この場合、電子機器１００Ｄでは入力手段１０２によるパスワードの入力は行わずに、自動的にＩＣ固有ＩＤがパスワードとして設定される。【０１６０】
さらに、パスワードとしてＩＣ固有ＩＤが用いられる場合、パスワードは全てのメモリカード２００で同一であるため、パスワード保持手段３０１を備えなくてもよいし、電子機器１００Ｄ内にパスワード保持手段を備えてもよい。【０１６１】
（第５の実施形態）
図１０は本発明の第５の実施形態における電子機器１００Ｅおよびメモリカード２００の概略構成の一例を示す図である。電子機器１００Ｅおよびメモリカード２００において、図１に示した電子機器１００およびメモリカード２００の構成と同一の構成要素については、同一の符号を付し、説明を省略または簡略化する。また、電子機器１００Ｅにおいては、図３、図４に示した電子機器１００の動作と類似しているため、異なる動作についてのみ説明を行う。電子機器１００Ｅとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【０１６２】
電子機器１００Ｅは、電子機器１００の構成要素に加え、本体ロック手段１１３を有する。【０１６３】
パスワード保持手段１０１は、各カード固有ＩＤと電子機器１００Ｅ本体をロックおよびロック解除するためのパスワードとを保持する。【０１６４】
入力手段１０２は、電子機器１００Ｅ本体をロックおよびロック解除するためのパスワードの入力等を行う。【０１６５】
本体ロック手段１１３は、電子機器１００Ｅ本体をパスワードによりロックしたりロック解除したりする。本体ロック手段１１２がロック行う部分は、電子機器１００Ｅのすべての機能であっても一部の機能であってもよい。【０１６６】
次に、電子機器１００Ｅの動作の一例について説明する。電子機器１００Ｅも電子機器１００と同様に図３、図４の処理を行う。【０１６７】
図３、図４の処理を行う場合、電子機器１００Ｅでは、入力手段１０２によるパスワードの入力は行わずに、パスワードとして、自動的に電子機器１００Ｅ本体のパスワードが設定される。例えば、パスワード設定時やロック解除時には、パスワードを入力する処理（例えば、ステップＳ１０５、ステップＳ１１２）の代わりに、パスワード保持手段１０１に保持された電子機器１００Ｅ本体のパスワードが用いられる。【０１６８】
このような電子機器１００Ｅによれば、電子機器１００Ｅ本体において使用するパスワードをメモリカード２００のパスワードとして設定することができ、ユーザは一切パスワード入力を行うことなく、メモリカード２００のパスワード設定およびロック解除を行うことが可能となる。さらに、ユーザが暗記しなければならないパスワードの数を減らすことが可能となる。【０１６９】
（第６の実施形態）
図１１は本発明の第６の実施形態における電子機器１００Ｆ、メモリカード２００、およびＩＣカード３００の概略構成の一例を示す図である。電子機器１００Ｆおよびメモリカード２００において、図１に示した電子機器１００およびメモリカード２００の構成と同一の構成要素については、同一の符号を付し、説明を省略または簡略化する。また、電子機器１００Ｆにおいては、図３、図４に示した電子機器１００の動作と類似しているため、異なる動作についてのみ説明を行う。電子機器１００Ｆとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【０１７０】
電子機器１００Ｆは、電子機器１００の構成要素と比較すると、パスワード保持手段１０１および入力手段１０２を備えておらず、ＩＣカード接続手段１１２、ＩＣ固有ＩＤ変換手段１１４を有する。尚、ＩＣ固有ＩＤ変換手段１１４は「パスワード生成部」としての機能を有する。【０１７１】
ＩＣカード接続手段１１２は、ＩＣカード３００を接続するための手段であり、例えば接続端子である。例えば、ＩＣカード３００がＩＣカードスロットに挿入されることで、ＩＣカード３００との間でデータの交換が可能な状態となる。【０１７２】
ＩＣ固有ＩＤ変換手段１１４は、メモリカード２００のカード固有ＩＤとＩＣカード３００のＩＣ固有ＩＤとに基づいてパスワードを生成し、直接、メモリカード２００へのパスワード設定やロック解除を実施するようにパスワードを設定解除手段１０５へ送る。【０１７３】
ＩＣカード３００は、例えばＳＩＭ（Ｓｕｂｓｃｒｉｂｅｒ  Ｉｄｅｎｔｉｔｙ  Ｍｏｄｕｌｅ）カードである。ＩＣカード３００はＩＣカード３００の識別情報としてＩＣ固有ＩＤを有する。【０１７４】
次に、電子機器１００Ｆの動作の一例について説明する。電子機器１００Ｆも電子機器１００と同様に図３、図４の処理を行う。【０１７５】
図３、図４の処理を行う場合、電子機器１００Ｆでは、入力手段１０２によるパスワードの入力は行わずに、ＩＣ固有ＩＤ変換手段１１４によって生成されるパスワードを用いる。パスワード設定時やロック解除時には、パスワードを入力する処理（例えば、ステップＳ１０５、ステップＳ１１２）の代わりに、ＩＣ固有ＩＤ変換手段１１４によるパスワード生成を行い、パスワードを設定解除手段１０５へ送る。【０１７６】
このような電子機器１００Ｆによれば、ユーザは一切パスワード入力を行うことなく、メモリカード２００のパスワード設定およびロック解除を行うことが可能となる。さらに、メモリカード２００毎に異なるパスワードが設定されるので、セキュリティ上、より安全なパスワードとなる。【０１７７】
（第７の実施形態）
図１２は本発明の第７の実施形態における電子機器１００Ｇ、メモリカード２００、およびＩＣカード３００の概略構成の一例を示す図である。電子機器１００Ｇおよびメモリカード２００において、図１に示した電子機器１００およびメモリカード２００の構成と同一の構成要素については、同一の符号を付し、説明を省略または簡略化する。また、電子機器１００Ｇにおいては、図３、図４に示した電子機器１００の動作と類似しているため、異なる動作についてのみ説明を行う。電子機器１００Ｇとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【０１７８】
電子機器１００Ｇは、電力供給手段１０３、カード固有ＩＤ取得手段１０４、設定解除手段１０５、ロック状態判定手段１０６、データアクセス手段１０７、メモリカード接続手段１０８、ＩＣカード接続手段１１２、パスワード生成手段１１５を有して構成される。【０１７９】
ＩＣカード接続手段１１２は、ＩＣカード３００を接続するための手段であり、例えば接続端子である。例えば、ＩＣカード３００がＩＣカードスロットに挿入されることで、ＩＣカード３００との間でデータの交換が可能な状態となる。【０１８０】
パスワード生成手段１１５は、パスワードを生成し、ＩＣカード接続手段１１３を介してパスワード保持手段３０１へ保存する。パスワード生成の方法としては、例えば、ＩＣカード３００のＩＣ固有ＩＤとメモリカード２００のカード固有ＩＤに基づいて変換や暗号化を行ってパスワードを生成してもよいし、これらに基づかずにランダム値や時間を用いてパスワードを生成してもよい。パスワードの生成は、メモリカード２００のカード固有ＩＤ毎に行われる。【０１８１】
ＩＣカード３００は、例えばＳＩＭ（Ｓｕｂｓｃｒｉｂｅｒ  Ｉｄｅｎｔｉｔｙ  Ｍｏｄｕｌｅ）カードであり、パスワード保持手段３０１を有する。ＩＣカード３００はＩＣカード３００の識別情報としてＩＣ固有ＩＤを有する。【０１８２】
パスワード保持手段３０１は、電子機器１００のパスワード保持手段１０１と同様の機能を備えている。また、パスワード保持手段３０１はＩＣカード３００に具備されるのではなく、電子機器１００Ｇに具備しても良い。【０１８３】
次に、電子機器１００Ｇの動作の一例について説明する。電子機器１００Ｇも電子機器１００と同様に図３、図４の処理を行う。【０１８４】
図３、図４の処理を行う場合、電子機器１００Ｇでは、入力手段１０２によるパスワードの入力は行わずに、パスワード生成手段１１５によって生成されるパスワードを用いる。パスワード設定時には、パスワードを入力する処理（例えば、ステップＳ１０５、ステップＳ１１２）の代わりに、パスワード生成手段１１５によるパスワード生成を行い、パスワード保持手段３０１へ保存する。【０１８５】
このような電子機器１００Ｇによれば、ユーザは一切パスワードの入力をすることなく、メモリカード２００のパスワード設定およびロック解除を行うことが可能となる。また、生成されるパスワードは推定困難となり、セキュリティ上、より安全なパスワードとなる。【０１８６】
（第８の実施形態）
図１３は本発明の第８の実施形態における電子機器１００Ｈおよびメモリカード２００の概略構成の一例を示す図である。電子機器１００Ｈおよびメモリカード２００において、図６に示した電子機器１００Ｃおよびメモリカード２００の構成と同一の構成要素については、同一の符号を付し、説明を省略または簡略化する。電子機器１００Ｈにおいては、図７、図８に示した電子機器１００Ｃの動作と類似しているため、異なる動作についてのみ説明を行う。電子機器１００Ｈとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【０１８７】
電子機器１００Ｈは、電子機器１００Ｃの構成要素に加え、本体ロックモード設定手段１１６を有する。【０１８８】
本体ロックモード設定手段１１６は、電子機器１００Ｈのロックに関する本体ロックモードとして、電子機器１００Ｈのすべての機能もしくは一部の機能をロックするための本体ロックモード、あるいは、このロックを解除するための本体ロック解除モードとを設定する。尚、本体ロックモードの切り替えには、本体ロックモード切替のためのパスワードなどを要求してもよい。【０１８９】
次に、電子機器１００Ｈの動作の一例について説明する。電子機器１００Ｈも電子機器１００Ｃと同様に図７、図８の処理を行う。【０１９０】
本体ロックモード設定手段１１６により本体ロックモードに設定されると、本体ロックモード設定手段１１６は、パスワード設定モードに設定されるようにパスワードモード設定手段１１０を制御する。そして、電子機器１００Ｈは、図８の処理を行う。【０１９１】
また、本体ロックモード設定手段１１６により本体ロック解除モードに設定されると、本体ロックモード設定手段１１６は、パスワード消去モードに設定されるようにパスワードモード設定手段１１０を制御する。そして、電子機器１００Ｈは、図７の処理を行う。【０１９２】
このような電子機器１００Ｈによれば、例えば、電子機器１００Ｈの本体ロックおよび本体ロック解除に連動して一度パスワード設定を行ったメモリカード２００についてパスワードの削除や再設定を行う場合には、繰り返しパスワードを入力することなく自動的にメモリカード２００へのパスワードを削除すること、パスワードを付加することが可能となり、利便性が向上する。【０１９３】
例えば、電子機器１００Ｈを本体ロックモードとし、携帯端末等の電子機器１００Ｈにパスワードによるロックをかけることで、メモリカード２００にパスワードを設定し、ロックをかけることが可能である。したがって、この場合に、メモリカード２００を紛失したりメモリカード２００が盗難にあったり、電子機器１００Ｈを紛失したり電子機器１００Ｈが盗難にあったりしても、メモリカード２００内に記憶されたデータの情報漏洩を防止することが可能である。【０１９４】
尚、入力手段１０２によるパスワード入力に代わり、電子機器１００Ｈ本体のすべてもしくは一部の機能をロックするためのパスワードをメモリカード２００のパスワードとして利用してもよい。また、他の実施形態で説明したパスワードの生成方法を用いてパスワードを生成し、パスワードとして利用してもよい。【０１９５】
（第９の実施形態）
本発明の第９の実施形態における電子機器１００Ｉは、電子機器１００、１００Ｂ〜１００Ｈのいずれかの電子機器の構成要素と、図示しない表示部１１７を有する。電子機器１００Ｉは、先の実施形態において説明した処理を行う。電子機器１００Ｉとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。【０１９６】
表示部１１７は、様々なデータの表示を行う。ここでは、主に、パスワード設定済みでありメモリカード２００がロック中であることを示すロック中アイコン、パスワード設定済みでありメモリカード２００がロック解除中であることを示すロック解除中アイコン、メモリカード２００のパスワードが未設定であることを示すパスワード未設定アイコンを表示する。図１４（ａ）は表示を行う電子機器１００Ｉの一例、図１４（ｂ）は表示部１１７が表示するアイコンの一例を示す図である。【０１９７】
パスワード設定済みでありメモリカード２００がロック中であることは、例えば、メモリカード２００への電力供給後に自動的にロック状態となっていることから認識可能である。例えば、図３のステップＳ１０４において「Ｙｅｓ」である場合、パスワード設定済みロック中である。【０１９８】
パスワード設定済みでありメモリカード２００がロック解除中であることは、例えば、メモリカード２００への電力供給後に自動的にロック状態となり、その後ロック解除信号によりロック解除が成功したことから認識可能である。例えば、図３のステップＳ１１１において「Ｙｅｓ」である場合やステップＳ１１４において「Ｙｅｓ」である場合、パスワード設定済みロック解除中である。【０１９９】
パスワード未設定であることは、例えば、メモリカード２００への電力供給後に自動的にロック状態とならないことから認識可能である。例えば、図３のステップＳ１０４において「Ｎｏ」である場合、パスワード未設定である。【０２００】
次に、電子機器１００Ｉにおける表示部１１７による表示処理の一例について説明する。【０２０１】
図１５は、パスワードが設定されていないメモリカード２００が接続された場合に、メモリカード２００にパスワードを設定する場合の画面表示例を示す図である。【０２０２】
電子機器１００Ｉが、例えば電子機器１００、１００Ｂ、１００Ｃと同様に、入力手段１０２によるパスワード入力が必要な場合、まず、図１５（ａ）に示すように、表示部１１７がパスワードの設定画面を表示する。この画面では、パスワード未設定アイコンが表示される。【０２０３】
続いて、図１５（ｂ）に示すように、表示部１１７がパスワードの入力画面を表示する。この画面では、引き続きパスワード未設定アイコンが表示される。【０２０４】
続いて、図１５（ｃ）に示すように、表示部１１７がパスワード入力後のロック解除画面を表示する。この画面では、ロック解除中アイコンが表示される。【０２０５】
図１５の画面表示により、メモリカード２００のパスワードが未設定の状態から、パスワードを設定した後にメモリカードがロック解除状態となったことを瞬時に把握することが可能である。【０２０６】
図１６は、既にメモリカード２００にパスワードが設定されており、電子機器１００ＩもしくはＩＣカード３００がメモリカード２００のカード固有ＩＤおよびパスワードを保持している場合の画面表示例を示す図である。【０２０７】
電子機器１００Ｉが、例えば電子機器１００、１００Ｂ、１００Ｃ、１００Ｄ、１００１００Ｆ、１００Ｇと同様に、既にパスワードが設定されており、パスワード保持部１０１もしくはＩＣカード３００にメモリカード２００のカード固有ＩＤおよびパスワードが保持されている場合、パスワードが設定されたメモリカード２００を電子機器１００Ｉへ挿入等する前には、表示部１１７は、例えば図１６（ａ）に示す画面を表示する。また、この画面では、アイコンの表示は行われない。【０２０８】
続いて、電子機器１００Ｉへメモリカード２００が挿入等され、パスワード保持部１０１等に保持されたパスワードでメモリカード２００の認証が行われた後にロック解除されると、図１６（ｂ）に示すように、表示部１１７がロック解除画面を表示する。この画面では、ロック解除中アイコンが表示される。【０２０９】
図１６の画面表示により、メモリカード２００が単にパスワード未設定であるのではなく、パスワードが設定されており、パスワード認証後にメモリカード２００がロック解除状態となったことを瞬時に把握することが可能である。【０２１０】
図１７は、パスワードモード設定メニューの画面表示例を示す図である。【０２１１】
電子機器１００Ｉが、例えば電子機器１００Ｃと同様に、パスワードモードを設定する場合、図１７（ａ）に示すように、表示部１１７が第１のメニュー画面を表示する。第１のメニュー画面は、パスワード設定モード中であり、パスワード設定モードからパスワード消去モードへの切り替えを行うための画面である。この画面では、ロック解除中アイコンが表示される。【０２１２】
また、図１７（ｂ）に示すように、表示部１１７が第２のメニュー画面を表示する。第２のメニュー画面は、パスワード消去モード中であり、パスワード消去モードからパスワード設定モードへの切り替えを行うための画面である。この画面では、パスワード未設定アイコンが表示される。【０２１３】
図１７の画面表示により、メモリカード２００にパスワードが設定されているがロック解除状態となっているとなっているのか、パスワードが設定されていないのかを判断し、パスワードモードを切り替えることが可能となる。【０２１４】
図１８は、パスワード削除変更メニューの画面表示例を示す図である。【０２１５】
電子機器１００Ｉが、例えば電子機器１００、１００Ｂと同様に、メモリカード２００に設定されているパスワードを削除もしくは変更する場合、図１８に示すように、表示部１１７がパスワード削除変更メニューを表示する。この画面では、ロック解除中アイコンが表示される。尚、ロック解除に成功した場合のみに、パスワードの削除もしくは変更を許可することで、ユーザにパスワードの確認を行わせる必要が無く、利便性が向上する。【０２１６】
図１８の画面表示により、メモリカード２００にパスワードが設定されているがロック解除状態となっているとなっているのか、パスワードが設定されていないのかを判断し、パスワードの削除や変更を行うことができる。【０２１７】
ここで、電子機器１００Ｉがパスワード削除変更を行う場合の動作の一例について簡単に説明する。【０２１８】
パスワード変更は、入力手段１０２から入力された新パスワードとパスワード保持手段１０１から該当するパスワードを現在のパスワードとして読み出し、設定解除手段１０５が新パスワードと現在のパスワードをメモリカード２００に送信し、メモリカード２００に設定されているパスワードを変更する。またその際に、パスワード保持テーブル１０１ａの該当するパスワードを新パスワードに更新する。【０２１９】
また、パスワードの削除は、パスワード保持手段１０１から該当するパスワードを現在のパスワードとして読み出し、設定解除手段１０５が現在のパスワードをメモリカード２００に送信し、メモリカード２００に設定されているパスワードを削除する。この際、パスワード消去モードの場合は、パスワード保持テーブル１０１ａからパスワードの削除を行わない。また、パスワード消去モード以外の場合は、パスワード保持テーブル１０１ａからパスワードの削除を行ってもよい。【０２２０】
図１９は、既にパスワードが設定されているが、電子機器１００ＩもしくはＩＣカード３００がメモリカード２００のカード固有ＩＤおよびカード固有ＩＤに対応しないパスワードを保持している場合の画面表示例を示す図である。【０２２１】
電子機器１００Ｉが、例えば電子機器１００、１００Ｂ、１００Ｃ、１００Ｄ、１００１００Ｆ、１００Ｇと同様に、既にパスワードが設定されているが、パスワード保持部１０１もしくはＩＣカード３００にメモリカード２００のカード固有ＩＤおよびカード固有ＩＤに対応しないパスワードが保持されている場合、パスワードが設定されたメモリカード２００を電子機器１００Ｉへ挿入等する前には、表示部１１７は、例えば図１９（ａ）に示す画面を表示する。また、この画面では、アイコンの表示は行われない。【０２２２】
続いて、電子機器１００Ｉへメモリカード２００が挿入等され、パスワード保持部１０１等に保持されたパスワードでメモリカード２００の認証が行われた後、パスワード保持部１０１等に保持されたパスワードとメモリカード２００に保持されたが不一致であるためにロック解除されず、表示部１１７がパスワード認証画面を表示する。入力手段１０２により入力されたパスワードでもロック解除されない場合、図１９（ｂ）に示すように、表示部１１７がロック画面を表示する。この画面では、ロック中アイコンが表示される。【０２２３】
図１９の画面表示により、メモリカード２００のロック状態が解除されないために、例えば他の電子機器でメモリカード２００のパスワードが変更されたなど、パスワード保持部１０１等に保持されたパスワードがメモリカード２００に保持されたパスワードと異なっていることを瞬時に把握することが可能である。【０２２４】
このような電子機器１００Ｉによれば、一見してメモリカード２００にパスワードが設定されているか否か、メモリカード２００がロック状態である否かを認識することができる。したがって、例えば、単にパスワードが設定されていないためにロック解除状態となったのか、パスワードが設定されているためにロック状態の後に自動的にロック解除状態となったのかを見分けることができる。【０２２５】
尚、第１〜第９の実施形態における電子機器の機能を組み合わせることも可能である。例えば、パスワード設定モードおよびパスワード消去モードにおいて、図１２のパスワード生成手段１１５によって生成されたパスワードを用いることも可能である。
【産業上の利用可能性】
【０２２６】
本発明は、外部記憶装置に機能を追加することなく、外部記憶装置のパスワードによるロックを自動的に解除することが可能な電子機器、プログラム等に有用である。
【図１】
2009028052.tif 000003
【図２】
2009028052.tif 000004
【図３】
2009028052.tif 000005
【図４】
2009028052.tif 000006
【図５】
2009028052.tif 000007
【図６】
2009028052.tif 000008
【図７】
2009028052.tif 000009
【図８】
2009028052.tif 000010
【図９】
2009028052.tif 000011
【図１０】
2009028052.tif 000012
【図１１】
2009028052.tif 000013
【図１２】
2009028052.tif 000014
【図１３】
2009028052.tif 000015
【図１４】
2009028052.tif 000016
【図１５】
2009028052.tif 000017
【図１６】
2009028052.tif 000018
【図１７】
2009028052.tif 000019
【図１８】
2009028052.tif 000020
【図１９】
2009028052.tif 000021
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
パスワードによりロック可能な外部記憶装置を接続する外部記憶装置接続部と、
前記外部記憶装置を識別するための識別情報を取得する識別情報取得部と、
外部記憶装置の識別情報とパスワードとを関連付けて保持するパスワード保持部と、
前記外部記憶装置接続部に接続された外部記憶装置がロック状態であるか否かを判定するロック状態判定部と、
前記ロック状態判定部により前記外部記憶装置がロック状態であると判定された場合、かつ、前記識別情報取得部に取得された識別情報と同一の識別情報が前記パスワード保持部に保持されている場合、前記識別情報に関連付けられたパスワードに基づいて、前記外部記憶装置のロック状態を解除するためのロック解除信号を送信する電子機器。
【請求項２】
請求項１に記載の電子機器であって、
前記ロック解除部は、前記ロック解除信号の送信後、ロック解除に失敗した場合、入力部により入力されたパスワードに基づいて、前記ロック解除信号を再送信する電子機器。
【請求項３】
請求項２に記載の電子機器であって、
前記ロック解除部は、前記ロック解除信号の再送信後、ロック解除に成功した場合、前記識別情報取得部により取得された識別情報と前記入力部により入力されたパスワードとを関連付けて前記パスワード保持部へ保存する電子機器。
【請求項４】
パスワードによりロック可能な外部記憶装置を接続する外部記憶装置接続部と、
外部記憶装置のパスワードを保持するパスワード保持部と、
前記外部記憶装置接続部に接続された外部記憶装置がロック状態であるか否かを判定するロック状態判定部と、
前記ロック状態判定部により前記外部記憶装置がロック状態であると判定された場合に、前記パスワード保持部に保持されたパスワードに基づいて前記外部記憶装置のロック状態を解除するためのロック解除信号を送信した後、ロック解除に失敗した場合、前記パスワード保持部に保持された他のパスワードに基づいて前記ロック解除信号を送信するロック解除部と
を有する電子機器。
【請求項５】
請求項１ないし４のいずれか１項に記載の電子機器であって、更に、
前記外部記憶装置へ前記パスワードを設定するためのパスワード設定信号を送信するパスワード設定部を有する電子機器。
【請求項６】
請求項５に記載の電子機器であって、
前記パスワード設定部は、入力部により入力されたパスワードを設定するための前記パスワード設定信号を送信する電子機器。
【請求項７】
請求項５に記載の電子機器であって、更に、
前記パスワードを設定または消去するためのパスワードモードを設定するパスワードモード設定部を有し、
前記パスワード設定部は、前記パスワードモードとしてパスワード設定モードが設定された場合、前記識別情報取得部によって取得された識別情報に関連付けられたパスワードに基づいて、前記パスワード設定信号を送信する電子機器。
【請求項８】
請求項７に記載の電子機器であって、更に、
前記パスワードモードとしてパスワード消去モードが設定された場合、前記識別情報取得部によって取得された識別情報に関連付けられたパスワードに基づいて、前記パスワードを消去するためのパスワード消去信号を送信するパスワード消去部を有する電子機器。
【請求項９】
請求項７または８に記載の電子機器であって、更に、
当該電子機器の備える機能をロックまたはロック解除するための本体ロックモードを設定する本体ロックモード設定部を有し、
前記パスワードモード設定部は、前記本体ロックモードとしてロックモードが設定された場合、前記パスワードモードとして前記パスワード設定モードを設定する電子機器。
【請求項１０】
請求項９に記載の電子機器であって、
前記パスワードモード設定部は、前記本体ロックモードとしてロック解除モードが設定された場合、前記パスワードモードとして前記パスワード消去モードを設定する電子機器。
【請求項１１】
請求項５ないし１０に記載の電子機器であって、
前記パスワード設定部は、設定したパスワードを前記パスワード保持部へ保存する電子機器。
【請求項１２】
請求項１、４、５、７〜１１のいずれか１項に記載の電子機器であって、
前記パスワードは、当該電子機器の備える機能をロックまたはロック解除するためのパスワードである電子機器。
【請求項１３】
請求項１、４、５、７〜１１のいずれか１項に記載の電子機器であって、
前記パスワードは、当該電子機器に接続されるＩＣカードを識別するためのＩＣ識別情報に基づいたものである電子機器。
【請求項１４】
請求項１、４、５、７〜１１のいずれか１項に記載の電子機器であって、更に、
前記パスワードを生成するパスワード生成部を有する電子機器。
【請求項１５】
請求項１４に記載の電子機器であって、
前記パスワード生成部は、前記外部記憶装置を識別するための識別情報と当該電子機器に接続されるＩＣカードを識別するための識別情報とに基づいて、前記パスワードを生成する電子機器。
【請求項１６】
請求項１ないし１５のいずれか１項に記載の電子機器であって、更に、
前記外部記憶装置のデータへアクセスするためのデータアクセス部と、
前記データアクセス部によるアクセスが行われる期間、前記外部記憶装置へ電力を供給する電力供給部とを有し、
前記ロック解除部は、前記電力供給部により電力が供給される場合、前記ロック解除信号を送信する電子機器。
【請求項１７】
請求項１ないし１６のいずれか１項に記載の電子機器であって、更に、
前記パスワード保持部を有するＩＣカードを接続するＩＣカード接続部を有し、
前記ロック解除部または前記識別情報取得部は、前記ＩＣカードの前記パスワード保持部へのデータ参照またはデータ保存を行う場合、前記ＩＣカードへアクセス要求を行う電子機器。
【請求項１８】
請求項１３、１５、１７に記載の電子機器であって、
前記ＩＣカードは、ＳＩＭカードである電子機器。
【請求項１９】
請求項１ないし１８に記載の電子機器であって、更に、
前記外部記憶装置へのパスワードの設定状態および前記外部記憶装置のロックの設定状態の少なくとも一方を通知するための表示を行う表示部を有する電子機器。
【請求項２０】
請求項１９に記載の電子機器であって、
前記表示部は、前記外部記憶装置へパスワードが設定されており、かつ、前記外部記憶装置がロック状態である場合、その旨を表示する電子機器。
【請求項２１】
請求項１９に記載の電子機器であって、
前記表示部は、前記外部記憶装置へパスワードが設定されており、かつ、前記外部記憶装置がロック解除状態である場合、その旨を表示する電子機器。
【請求項２２】
請求項１９に記載の電子機器であって、
前記表示部は、前記外部記憶装置へのパスワードが未設定である場合、その旨を表示する電子機器。
【請求項２３】
請求項１ないし４のいずれか１項に記載の電子機器であって、
前記ロック解除信号は、前記パスワードを含む電子機器。
【請求項２４】
請求項５ないし７のいずれか１項に記載の電子機器であって、
前記パスワード設定信号は、前記パスワードを含む電子機器。
【請求項２５】
請求項８に記載の電子機器であって、
前記パスワード消去信号は、前記パスワードを含む電子機器。
【請求項２６】
請求項７に記載の電子機器であって、
前記パスワード設定部は、前記パスワードモードとしてパスワード設定モードが設定された場合、かつ、前記識別情報取得部によって取得された識別情報が前記パスワード保持部に保持されていない場合、入力部により入力されたパスワードに基づいて、前記パスワード設定信号を送信する電子機器。
【請求項２７】
請求項２０に記載の電子機器であって、
前記ロック状態判定部は、前記外部記憶装置への電力供給に基づいて前記外部記憶装置がロック状態となった場合、前記外部記憶装置へパスワードが設定されており、かつ、前記外部記憶装置がロック状態であると判定する電子機器。
【請求項２８】
請求項２１に記載の電子機器であって、
前記ロック状態判定部は、前記外部記憶装置への電力供給に基づいて前記外部記憶装置がロック状態となり、かつ、前記ロック解除信号によりロック状態の解除が成功した場合、前記外部記憶装置へパスワードが設定されており、かつ、前記外部記憶装置がロック解除状態であると判定する電子機器。
【請求項２９】
請求項２２に記載の電子機器であって、
前記ロック状態判定部は、前記外部記憶装置への電力供給に基づいて前記外部記憶装置がロック状態とならなかった場合、前記外部記憶装置へのパスワードが未設定であると判定する電子機器。
【請求項３０】
電子機器において、
前記外部記憶装置がロック状態であるか否かを判定するステップと、
パスワードによりロック可能な外部記憶装置を接続する外部記憶装置接続部に接続された外部記憶装置がロック状態であると判定された場合、外部記憶装置のパスワードを保持するパスワード保持部に保持されたパスワードに基づいて、前記外部記憶装置のロック状態を解除するためのロック解除信号を送信するステップと
を有するロック解除方法。
【請求項３１】
請求項３０に記載の各ステップをコンピュータに実行させるためのプログラム。
【請求項３２】
（削除）
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
パスワードによりロック可能な外部記憶装置を接続する外部記憶装置接続部と、
前記外部記憶装置を識別するための識別情報を取得する識別情報取得部と、
外部記憶装置の識別情報とパスワードとを関連付けて保持するパスワード保持部と、
前記外部記憶装置接続部に接続された外部記憶装置がロック状態であるか否かを判定するロック状態判定部と、
前記ロック状態判定部により前記外部記憶装置がロック状態であると判定された場合、かつ、前記識別情報取得部に取得された識別情報と同一の識別情報が前記パスワード保持部に保持されている場合、前記識別情報に関連付けられたパスワードに基づいて、前記外部記憶装置のロック状態を解除するためのロック解除信号を送信する電子機器。
【請求項２】
請求項１に記載の電子機器であって、
前記ロック解除部は、前記ロック解除信号の送信後、ロック解除に失敗した場合、入力部により入力されたパスワードに基づいて、前記ロック解除信号を再送信する電子機器。
【請求項３】
請求項２に記載の電子機器であって、
前記ロック解除部は、前記ロック解除信号の再送信後、ロック解除に成功した場合、前記識別情報取得部により取得された識別情報と前記入力部により入力されたパスワードとを関連付けて前記パスワード保持部へ保存する電子機器。
【請求項４】
パスワードによりロック可能な外部記憶装置を接続する外部記憶装置接続部と、
外部記憶装置のパスワードを保持するパスワード保持部と、
前記外部記憶装置接続部に接続された外部記憶装置がロック状態であるか否かを判定するロック状態判定部と、
前記ロック状態判定部により前記外部記憶装置がロック状態であると判定された場合に、前記パスワード保持部に保持されたパスワードに基づいて前記外部記憶装置のロック状態を解除するためのロック解除信号を送信した後、ロック解除に失敗した場合、前記パスワード保持部に保持された他のパスワードに基づいて前記ロック解除信号を送信するロック解除部と、
を有する電子機器。
【請求項５】
請求項１ないし４のいずれか１項に記載の電子機器であって、更に、
前記外部記憶装置へ前記パスワードを設定するためのパスワード設定信号を送信するパスワード設定部を有する電子機器。
【請求項６】
請求項５に記載の電子機器であって、
前記パスワード設定部は、入力部により入力されたパスワードを設定するための前記パスワード設定信号を送信する電子機器。
【請求項７】
請求項５に記載の電子機器であって、更に、
前記パスワードを設定または消去するためのパスワードモードを設定するパスワードモード設定部を有し、
前記パスワード設定部は、前記パスワードモードとしてパスワード設定モードが設定された場合、前記識別情報取得部によって取得された識別情報に関連付けられたパスワードに基づいて、前記パスワード設定信号を送信する電子機器。
【請求項８】
請求項７に記載の電子機器であって、更に、
前記パスワードモードとしてパスワード消去モードが設定された場合、前記識別情報取得部によって取得された識別情報に関連付けられたパスワードに基づいて、前記パスワードを消去するためのパスワード消去信号を送信するパスワード消去部を有する電子機器。
【請求項９】
請求項７または８に記載の電子機器であって、更に、
当該電子機器の備える機能をロックまたはロック解除するための本体ロックモードを設定する本体ロックモード設定部を有し、
前記パスワードモード設定部は、前記本体ロックモードとしてロックモードが設定された場合、前記パスワードモードとして前記パスワード設定モードを設定する電子機器。
【請求項１０】
請求項９に記載の電子機器であって、
前記パスワードモード設定部は、前記本体ロックモードとしてロック解除モードが設定された場合、前記パスワードモードとして前記パスワード消去モードを設定する電子機器。
【請求項１１】
請求項５ないし１０に記載の電子機器であって、
前記パスワード設定部は、設定したパスワードを前記パスワード保持部へ保存する電子機器。
【請求項１２】
請求項１、４、５、７〜１１のいずれか１項に記載の電子機器であって、
前記パスワードは、当該電子機器の備える機能をロックまたはロック解除するためのパスワードである電子機器。
【請求項１３】
請求項１、４、５、７〜１１のいずれか１項に記載の電子機器であって、
前記パスワードは、当該電子機器に接続されるＩＣカードを識別するためのＩＣ識別情報に基づいたものである電子機器。
【請求項１４】
請求項１、４、５、７〜１１のいずれか１項に記載の電子機器であって、更に、
前記パスワードを生成するパスワード生成部を有する電子機器。
【請求項１５】
請求項１４に記載の電子機器であって、
前記パスワード生成部は、前記外部記憶装置を識別するための識別情報と当該電子機器に接続されるＩＣカードを識別するための識別情報とに基づいて、前記パスワードを生成する電子機器。
【請求項１６】
請求項１ないし１５のいずれか１項に記載の電子機器であって、更に、
前記外部記憶装置のデータへアクセスするためのデータアクセス部と、
前記データアクセス部によるアクセスが行われる期間、前記外部記憶装置へ電力を供給する電力供給部とを有し、
前記ロック解除部は、前記電力供給部により電力が供給される場合、前記ロック解除信号を送信する電子機器。
【請求項１７】
請求項１ないし１６のいずれか１項に記載の電子機器であって、更に、
前記パスワード保持部を有するＩＣカードを接続するＩＣカード接続部を有し、
前記ロック解除部または前記識別情報取得部は、前記ＩＣカードの前記パスワード保持部へのデータ参照またはデータ保存を行う場合、前記ＩＣカードへアクセス要求を行う電子機器。
【請求項１８】
請求項１３、１５、１７に記載の電子機器であって、
前記ＩＣカードは、ＳＩＭカードである電子機器。
【請求項１９】
請求項１ないし１８に記載の電子機器であって、更に、
前記外部記憶装置へのパスワードの設定状態および前記外部記憶装置のロックの設定状態の少なくとも一方を通知するための表示を行う表示部を有する電子機器。
【請求項２０】
請求項１９に記載の電子機器であって、
前記表示部は、前記外部記憶装置へパスワードが設定されており、かつ、前記外部記憶装置がロック状態である場合、その旨を表示する電子機器。
【請求項２１】
請求項１９に記載の電子機器であって、
前記表示部は、前記外部記憶装置へパスワードが設定されており、かつ、前記外部記憶装置がロック解除状態である場合、その旨を表示する電子機器。
【請求項２２】
請求項１９に記載の電子機器であって、
前記表示部は、前記外部記憶装置へのパスワードが未設定である場合、その旨を表示する電子機器。
【請求項２３】
請求項１ないし４のいずれか１項に記載の電子機器であって、
前記ロック解除信号は、前記パスワードを含む電子機器。
【請求項２４】
請求項５ないし７のいずれか１項に記載の電子機器であって、
前記パスワード設定信号は、前記パスワードを含む電子機器。
【請求項２５】
請求項８に記載の電子機器であって、
前記パスワード消去信号は、前記パスワードを含む電子機器。
【請求項２６】
請求項７に記載の電子機器であって、
前記パスワード設定部は、前記パスワードモードとしてパスワード設定モードが設定された場合、かつ、前記識別情報取得部によって取得された識別情報が前記パスワード保持部に保持されていない場合、入力部により入力されたパスワードに基づいて、前記パスワード設定信号を送信する電子機器。
【請求項２７】
請求項２０に記載の電子機器であって、
前記ロック状態判定部は、前記外部記憶装置への電力供給に基づいて前記外部記憶装置がロック状態となった場合、前記外部記憶装置へパスワードが設定されており、かつ、前記外部記憶装置がロック状態であると判定する電子機器。
【請求項２８】
請求項２１に記載の電子機器であって、
前記ロック状態判定部は、前記外部記憶装置への電力供給に基づいて前記外部記憶装置がロック状態となり、かつ、前記ロック解除信号によりロック状態の解除が成功した場合、前記外部記憶装置へパスワードが設定されており、かつ、前記外部記憶装置がロック解除状態であると判定する電子機器。
【請求項２９】
請求項２２に記載の電子機器であって、
前記ロック状態判定部は、前記外部記憶装置への電力供給に基づいて前記外部記憶装置がロック状態とならなかった場合、前記外部記憶装置へのパスワードが未設定であると判定する電子機器。
【請求項３０】
電子機器において、
前記外部記憶装置がロック状態であるか否かを判定するステップと、
パスワードによりロック可能な外部記憶装置を接続する外部記憶装置接続部に接続された外部記憶装置がロック状態であると判定された場合、外部記憶装置のパスワードを保持するパスワード保持部に保持されたパスワードに基づいて、前記外部記憶装置のロック状態を解除するためのロック解除信号を送信するステップと
を有するロック解除方法。
【請求項３１】
請求項３０に記載の各ステップをコンピュータに実行させるためのプログラム。
【手続補正２】
【補正対象書類名】明細書
【補正対象項目名】全文
【補正方法】変更
【補正の内容】
【発明の詳細な説明】
【技術分野】
【０００１】
本発明は、電子機器、ロック解除方法、パスワード設定方法、パスワード消去方法、およびプログラムに関し、特にパスワードによりロック可能な外部記憶媒体が接続される電子機器、パスワードのロック解除方法およびパスワードのロックを解除するためのプログラムに関する。
【背景技術】
【０００２】
従来、ＳＤカード等のメモリカードを用いて様々な情報を手軽に持ち歩くことができる。このメモリカードを電子機器に接続することで、メモリカードに保存された様々な情報を電子機器へ取り込み、電子機器において処理を行うことが可能である。
【０００３】
近年、メモリカードの大容量化に伴い、個人情報や機密情報をメモリカードに格納する機会が増えている。また、メモリカードを利用するユーザのセキュリティに関する意識の高まりもあり、メモリカード内の情報を参照するためにパスワードの入力が必要なメモリカードも登場している。
【０００４】
例えば、取り外しても再挿入することができ、記憶されたデータを保護する機能も有する、データを記憶するメモリカードを有するコンピュータシステムが知られている。このコンピュータシステムでは、Ｌｏｃｋ＿Ｕｎｌｏｃｋコマンドによるパスワードロックを行うことが可能である。
【０００５】
しかしながら、このコンピュータシステムでは、パスワードで保護されているメモリカードの利用において、メモリカードを電子機器に挿入するなど接続する度に、また、メモリカードの電源再投入を行う度にパスワードを入力しなければならず、ユーザの負担が大きくなる。
【０００６】
パスワードを毎回入力せずに済む方法の一例として、遊技場内の１つの取引端末に、利用者カード番号とその暗証番号を入力すると、中央管理装置にその情報が記憶され、所定の免除時間内は、中央処理装置に接続された他の取引端末が暗証番号の入力なしに利用できる方法が知られている（例えば、特許文献１参照）。
【０００７】
また、Ｗｅｂサイトの提供者が、Ｗｅｂブラウザを通じて訪問者のコンピュータに一時的にデータを書き込んで保存する仕組みが知られている。これはＣｏｏｋｉｅシステムと呼ばれるものであり、Ｃｏｏｋｉｅにはユーザに関する情報や最後にサイトを訪れた日時、そのサイトの訪問回数、認証情報などを記録しておくことができる。したがって、メモリカードの認証にこの仕組みを用いた場合には、パスワードの入力は、メモリカードが初めて電子機器に接続された最初の一回のみ必要であり、以降はパスワードの入力が不要となる。
【０００８】
さらに、入力画面に入力したＩＤ、パスワード等の入力情報をデータベースに保存し、入力画面を開く度に記録された入力情報を自動的に入力するようコンピュータに実行させるプログラムが知られている（例えば、特許文献２参照）。
【先行技術文献】
【特許文献】
【０００９】
【特許文献１】特許第３３３５８７７号公報
【特許文献２】特開２００４−２５９２０８号公報
【発明の概要】
【発明が解決しようとする課題】
【００１０】
しかしながら、特許文献１の方法では、例えば所定のパスワード入力の免除時間を超過した場合やメモリカードの挿入、メモリカードの電源再投入した場合などメモリカードがロックされる場合、メモリカードへパスワードを繰り返しユーザが入力しなければならない。
【００１１】
また、上記のＣｏｏｋｉｅシステムでは、メモリカード側にＣｏｏｋｉｅを生成、送信するための機能を追加しなければならないため、メモリカードを再設計する必要があり、さらにはメモリカードの小型化を実現するためにも好ましくない。
【００１２】
また、特許文献２のプログラムでは、Ｗｅｂブラウザを前提としており、特定のサイトにアクセスするためのアカウントが複数ある場合等に備えて入力画面を表示するが、入力画面に対してユーザが何らかの操作を行わなければならず、ユーザの負担が増えて操作が煩雑になる。さらに、特定のサイトへアクセスするために、サイトを識別するための識別情報であるＵＲＬをクライアント（ユーザ）が指示しなければならず、ユーザの負担が増えて操作が煩雑になる。
【００１３】
本発明は、上記事情に鑑みてなされたものであって、外部記憶装置に機能を追加することなく、外部記憶装置のパスワードによるロックを自動的に解除することが可能な電子機器、ロック解除方法およびプログラムを提供することを目的とする。
【課題を解決するための手段】
【００１４】
上記目的を達成するために、本発明の第１の電子機器は、パスワードによりロック可能な外部記憶装置を接続する外部記憶装置接続部と、外部記憶装置のパスワードを保持するパスワード保持部と、前記外部記憶装置接続部に接続された外部記憶装置がロック状態であるか否かを判定するロック状態判定部と、前記ロック状態判定部により前記外部記憶装置がロック状態であると判定された場合、前記パスワードに基づいて、前記外部記憶装置のロック状態を解除するためのロック解除信号を送信するロック解除部とを有する構成としている。
【００１５】
この構成により、外部記憶装置に機能を追加することなく、外部記憶装置のパスワードによるロックを自動的に解除することが可能である。
【００１６】
また、本発明の第２の電子機器は、前記外部記憶装置を識別するための識別情報を取得する識別情報取得部を有し、前記パスワード保持部が、外部記憶装置の識別情報とパスワードとを関連付けて保持し、前記ロック解除部が、前記識別情報取得部に取得された識別情報と同一の識別情報が前記パスワード保持部に保持されている場合、前記識別情報に関連付けられたパスワードに基づいて、前記ロック解除信号を送信する構成としている。
【００１７】
この構成により、取得識別情報と保持パスワードとからロック解除を試みることが可能であり、キー操作等の入力を行うことなくパスワードによるロックを解除することが可能である。
【００１８】
また、本発明の第３の電子機器は、前記ロック解除部が、前記ロック解除信号の送信後、ロック解除に失敗した場合、入力部により入力されたパスワードに基づいて、前記ロック解除信号を再送信する構成としている。
【００１９】
この構成により、一度ロック解除に失敗した場合であっても、入力パスワードによるロック解除が可能となる。例えば、他の電子機器により外部記憶装置のパスワードが変更されていた場合であっても、ロック解除が可能となる。
【００２０】
また、本発明の第４の電子機器は、前記ロック解除部が、前記ロック解除信号の再送信後、ロック解除に成功した場合、前記識別情報取得部により取得された識別情報と前記入力部により入力されたパスワードとを関連付けて前記パスワード保持部へ保存する構成としている。
【００２１】
この構成により、取得識別情報と入力パスワードを関連付けて保存するため、これ以降のロック解除時には、パスワードによるロックを自動的に解除可能となる。
【００２２】
また、本発明の第５の電子機器は、前記ロック解除部が、前記パスワード保持部に保持されたパスワードに基づいて前記ロック解除信号を送信した後、ロック解除に失敗した場合、前記パスワード保持部に保持された他のパスワードに基づいて前記ロック解除信号を送信する構成としている。
【００２３】
この構成により、パスワード保持部に外部記憶装置の識別情報を備えていない場合であっても、順次パスワードを検索してロック解除を試みることが可能となる。
【００２４】
また、本発明の第６の電子機器は、前記外部記憶装置へ前記パスワードを設定するためのパスワード設定信号を送信するパスワード設定部を有する構成としている。
【００２５】
この構成により、例えば、外部記憶装置にパスワードが付加されていない場合など外部記憶装置にパスワード設定が可能となる。
【００２６】
また、本発明の第７の電子機器は、前記パスワード設定部が、入力部により入力されたパスワードを設定するための前記パスワード設定信号を送信する構成としている。
【００２７】
この構成により、ユーザのキー操作等による入力により、パスワード設定が可能となる。
【００２８】
また、本発明の第８の電子機器は、前記パスワードを設定または消去するためのパスワードモードを設定するパスワードモード設定部を有し、前記パスワード設定部が、前記パスワードモードとしてパスワード設定モードが設定された場合、前記識別情報取得部によって取得された識別情報に関連付けられたパスワードに基づいて、前記パスワード設定信号を送信する構成としている。
【００２９】
この構成により、パスワード設定モードの場合には、キー操作等の入力によらず自動的にパスワード設定が可能となる。例えば、当該電子機器で一度パスワード設定もしくはロック解除を行ったことがあり、その後パスワードを消去した場合には、パスワード設定モードとするのみで、パスワード保持部に保持されたパスワードを用いてパスワード設定を自動的に行うことが可能となる。
【００３０】
また、本発明の第９の電子機器は、前記パスワードモードとしてパスワード消去モードが設定された場合、前記識別情報取得部によって取得された識別情報に関連付けられたパスワードに基づいて、前記パスワードを消去するためのパスワード消去信号を送信するパスワード消去部を有する構成としている。
【００３１】
この構成により、パスワード消去モードの場合には、キー操作等の入力によらず自動的にパスワード消去が可能となる。
【００３２】
また、本発明の第１０の電子機器は、当該電子機器の備える機能をロックまたはロック解除するための本体ロックモードを設定する本体ロックモード設定部を有し、前記パスワードモード設定部が、前記本体ロックモードとしてロックモードが設定された場合、前記パスワードモードとして前記パスワード設定モードを設定する構成としている。
【００３３】
この構成により、本体ロックモードとするのみで、本体ロックモードに連動して自動的にパスワード設定を行うことが可能となる。
【００３４】
また、本発明の第１１の電子機器は、前記パスワードモード設定部が、前記本体ロックモードとしてロック解除モードが設定された場合、前記パスワードモードとして前記パスワード消去モードを設定する構成としている。
【００３５】
この構成により、本体ロック解除モードとするのみで、本体ロック解除モードに連動して自動的にパスワード消去を行うことが可能となる。
【００３６】
また、本発明の第１２の電子機器は、前記パスワード設定部が、設定したパスワードを前記パスワード保持部へ保存する構成としている。
【００３７】
この構成により、このパスワード設定以降においては、外部記憶装置を当該電子機器に接続するだけで自動的にパスワードによるロックを解除することが可能となる。
【００３８】
また、本発明の第１３の電子機器は、前記パスワードが、当該電子機器の備える機能をロックまたはロック解除するためのパスワードである構成としている。
【００３９】
この構成により、本体ロックパスワードと外部記憶装置のパスワードが同一となるので、ユーザが暗記しなければならないパスワードの数を少なくすることができる。
【００４０】
また、本発明の第１４の電子機器は、前記パスワードが、当該電子機器に接続されるＩＣカードを識別するためのＩＣ識別情報もしくはＩＣ識別情報に基づいたものである構成としている。また、キー操作等の入力によらずパスワード設定が可能である。
【００４１】
この構成により、ユーザが暗記しなければならないパスワードの数を少なくすることができる。また、キー操作等の入力によらずパスワード設定が可能である。
【００４２】
また、本発明の第１５の電子機器は、前記パスワードを生成するパスワード生成部を有する構成としている。
【００４３】
この構成により、キー操作等の入力によらずパスワードが設定できる。また、乱数や時間を用いたりＩＣカードの識別情報の変換や暗号化を行ったりしてパスワード生成を行うことで、セキュリティの高いパスワードとなる。
【００４４】
また、本発明の第１６の電子機器は、前記パスワード生成部が、前記外部記憶装置を識別するための識別情報と当該電子機器に接続されるＩＣカードを識別するための識別情報とに基づいて、前記パスワードを生成する構成としている。
【００４５】
この構成により、キー操作等の入力によらずパスワードが設定でき、セキュリティの高いパスワードとなる。
【００４６】
また、本発明の第１７の電子機器は、前記外部記憶装置のデータへアクセスするためのデータアクセス部と、前記データアクセス部によるアクセスが行われる期間、前記外部記憶装置へ電力を供給する電力供給部とを有し、前記ロック解除部が、前記電力供給部により電力が供給される場合、前記ロック解除信号を送信する構成としている。
【００４７】
この構成により、例えば省電力化を実現するために省電力設定がされている場合に、省電力設定に対応してパスワードによるロックの解除を行うことが可能となる。この場合、例えば、外部記憶装置へのアクセスが行われる場合、電力供給を行ってパスワードによるロックを解除し、外部記憶装置へのアクセスが所定期間行われていない場合、電力供給を行わないことで省電力を実現し、電力供給が再開されるたびに、自動的にロックの解除を行うことが可能となる。
【００４８】
また、本発明の第１８の電子機器は、前記パスワード保持部を有するＩＣカードを接続するＩＣカード接続部を有し、前記ロック解除部または前記識別情報取得部が、前記ＩＣカードの前記パスワード保持部へのデータ参照またはデータ保存を行う場合、前記ＩＣカードへアクセス要求を行う構成としている。
【００４９】
この構成により、ＩＣカード内の記憶部へパスワードやカードの識別情報を記憶させることが可能となり、パスワードが保持されたＩＣカードを他の電子機器に接続することで、他の電子機器においても、外部記憶装置を電子機器に接続するだけで、パスワード設定やロック解除を実施することが可能となる。
【００５０】
また、本発明の第１９の電子機器は、前記ＩＣカードが、ＳＩＭカードである構成としている。
【００５１】
この構成により、ＳＩＭカードを利用した効果的なパスワード設定やロック解除等を実施することが可能となる。
【００５２】
また、本発明の第２０の電子機器は、前記外部記憶装置へのパスワードの設定状態および前記外部記憶装置のロックの設定状態の少なくとも一方を通知するための表示を行う表示部を有する構成としている。
【００５３】
この構成により、一見して外部記憶装置にパスワードが設定されているか否か、外部記憶装置がロック状態であるか否かを認識することが可能となる。したがって、例えば、単にパスワードが設定されていないためにロック解除状態となったのか、パスワードが設定されているためにロック状態の後に自動的にロック解除状態となったのかを見分けることができる。
【００５４】
また、本発明の第２１の電子機器は、前記表示部が、前記外部記憶装置へパスワードが設定されており、かつ、前記外部記憶装置がロック状態である場合、その旨を表示する構成としている。
【００５５】
この構成により、パスワード設定済みロック中であると瞬時に判断可能である。
【００５６】
また、本発明の第２２の電子機器は、前記表示部が、前記外部記憶装置へパスワードが設定されており、かつ、前記外部記憶装置がロック解除状態である場合、その旨を表示する構成としている。
【００５７】
この構成により、パスワードが未設定であるためロックされていないのではなく、パスワード設定済みロック解除中であると瞬時に判断可能である。
【００５８】
また、本発明の第２３の電子機器は、前記表示部が、前記外部記憶装置へのパスワードが未設定である場合、その旨を表示する構成としている。
【００５９】
この構成により、パスワード設定済みロック解除中であるのではなく、パスワードが未設定であるためロックされていないと瞬時に判断可能である。
【００６０】
また、本発明の第２４の電子機器は、前記ロック解除信号が、前記パスワードを含む構成としている。
【００６１】
この構成により、外部記憶装置はロック解除を行うことができる。
【００６２】
また、本発明の第２５の電子機器は、前記パスワード設定信号が、前記パスワードを含む構成としている。
【００６３】
この構成により、外部記憶装置はパスワード設定を行うことができる。
【００６４】
また、本発明の第２６の電子機器は、前記パスワード消去信号が、前記パスワードを含む構成としている。
【００６５】
この構成により、外部記憶装置はパスワード消去を行うことができる。
【００６６】
また、本発明の第２７の電子機器は、前記パスワード設定部が、前記パスワードモードとしてパスワード設定モードが設定された場合、かつ、前記識別情報取得部によって取得された識別情報が前記パスワード保持部に保持されていない場合、入力部により入力されたパスワードに基づいて、前記パスワード設定信号を送信する構成としている。
【００６７】
この構成により、パスワード設定モードの場合には、パスワードが設定されていないメモリカードに対しても、確実にパスワードを設定することが可能となる。
【００６８】
また、本発明の第２８の電子機器は、前記ロック状態判定部が、前記外部記憶装置への電力供給に基づいて前記外部記憶装置がロック状態となった場合、前記外部記憶装置へパスワードが設定されており、かつ、前記外部記憶装置がロック状態であると判定する構成としている。
【００６９】
この構成により、ロック中アイコンの表示が可能となる。
【００７０】
また、本発明の第２９の電子機器は、前記ロック状態判定部が、前記外部記憶装置への電力供給に基づいて前記外部記憶装置がロック状態となり、かつ、前記ロック解除信号によりロック状態の解除が成功した場合、前記外部記憶装置へパスワードが設定されており、かつ、前記外部記憶装置がロック解除状態であると判定する構成としている。
【００７１】
この構成により、ロック解除中アイコンの表示が可能となる。
【００７２】
また、本発明の第３０の電子機器は、前記ロック状態判定部が、前記外部記憶装置への電力供給に基づいて前記外部記憶装置がロック状態とならなかった場合、前記外部記憶装置へのパスワードが未設定であると判定する構成としている。
【００７３】
この構成により、パスワード未設定アイコンの表示が可能となる。
【００７４】
また、本発明の第１のロック解除方法は、電子機器において、前記外部記憶装置がロック状態であるか否かを判定するステップと、パスワードによりロック可能な外部記憶装置を接続する外部記憶装置接続部に接続された外部記憶装置がロック状態であると判定された場合、外部記憶装置のパスワードを保持するパスワード保持部に保持されたパスワードに基づいて、前記外部記憶装置のロック状態を解除するためのロック解除信号を送信するステップとを有する方法としている。
【００７５】
この方法により、外部記憶装置に機能を追加することなく、外部記憶装置のパスワードによるロックを自動的に解除することが可能である。
【００７６】
また、本発明の第１のプログラムは、上記ロック解除方法の各ステップをコンピュータに実行させるためのプログラムとしている。
【００７７】
このプログラムにより、外部記憶装置に機能を追加することなく、外部記憶装置のパスワードによるロックを自動的に解除することが可能である。
【発明の効果】
【００７８】
本発明によれば、外部記憶装置に機能を追加することなく、外部記憶装置のパスワードによるロックを自動的に解除することが可能な電子機器、ロック解除方法、プログラムを提供できる。
【図面の簡単な説明】
【００７９】
【図１】本発明の第１の実施形態における電子機器の概略構成の一例を示す図
【図２】本発明の第１の実施形態におけるパスワード保持テーブルの一例を示す図
【図３】本発明の第１の実施形態における電子機器の動作の一例を示すフローチャート
【図４】本発明の第１の実施形態における電子機器の動作の一例を示すフローチャート
【図５】本発明の第２の実施形態における電子機器の概略構成の一例を示す図
【図６】本発明の第３の実施形態における電子機器の概略構成の一例を示す図
【図７】本発明の第３の実施形態における電子機器がパスワード消去モードの場合の動作の一例を示すフローチャート
【図８】本発明の第３の実施形態における電子機器がパスワード設定モードの場合の動作の一例を示すフローチャート
【図９】本発明の第４の実施形態における電子機器の概略構成の一例を示す図
【図１０】本発明の第５の実施形態における電子機器の概略構成の一例を示す図
【図１１】本発明の第６の実施形態における電子機器の概略構成の一例を示す図
【図１２】本発明の第７の実施形態における電子機器の概略構成の一例を示す図
【図１３】本発明の第８の実施形態における電子機器の概略構成の一例を示す図
【図１４】本発明の第９の実施形態における表示を行う電子機器の一例および電子機器の表示部が表示するアイコンの一例を示す図
【図１５】本発明の第９の実施形態における電子機器の表示部による画面表示の一例
【図１６】本発明の第９の実施形態における電子機器の表示部による画面表示の一例
【図１７】本発明の第９の実施形態における電子機器の表示部による画面表示の一例
【図１８】本発明の第９の実施形態における電子機器の表示部による画面表示の一例
【図１９】本発明の第９の実施形態における電子機器の表示部による画面表示の一例
【発明を実施するための形態】
【００８０】
本発明の実施形態における電子機器、ロック解除方法、およびプログラムについて、図面を用いて以下に説明する。
【００８１】
（第１の実施形態）
図１は、本発明の第１の実施形態における電子機器１００およびメモリカード２００の概略構成の一例を示す図である。
【００８２】
電子機器１００は、パスワード保持手段１０１、入力手段１０２、電力供給手段１０３、カード固有ＩＤ取得手段１０４、設定解除手段１０５、ロック状態判定手段１０６、データアクセス手段１０７、メモリカード接続手段１０８を有して構成される。電子機器１００としては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【００８３】
尚、メモリカード接続手段１０８は「外部記憶装置接続部」の一例である。また、設定解除手段１０５は「ロック解除部」、「パスワード設定部」としての機能を有する。また、カード固有ＩＤ取得手段１０４は「識別情報取得部」としての機能を有する。
【００８４】
メモリカード２００は、電子機器接続手段２０１、データ記憶手段２０２、パスワード判定手段２０３、パスワード保持手段２０４、ロック手段２０５、カード固有ＩＤ送信手段２０６を有して構成される。ここでは、外部記憶装置の一例としてメモリカード２００について説明するが、外部記憶装置としては、例えばハードディスク、ＤＶＤ等のディスクメディア、ＳＳＤ（Ｓｏｌｉｄ  Ｓｔａｔｅ  Ｄｒｉｖｅ）やＵＳＢメモリ等の半導体メモリデバイスなどの記憶装置も考えられる。また、メモリカード２００としては、ＳＤ（Ｓｅｃｕｒｅ  Ｄｉｇｉｔａｌ）カードやＭＭＣ（Ｍｕｌｔｉ  Ｍｅｄｉａ  Ｃａｒｄ）、メモリースティック、ｘＤピクチャーカード、コンパクトフラッシュ（登録商標）、スマートメディアなどが考えられる。
【００８５】
パスワード保持手段１０１は、設定解除手段１０５によって設定されたパスワードを保持している。例えば、パスワード保持手段１０１はパスワード保持テーブル１０１ａを有する。パスワード保持テーブル１０１ａには、メモリカード２００を識別するためのカード固有ＩＤとそのカードのパスワードとが関連付けられて（対にして）保存される。図２はパスワード保持テーブル１０１ａの一例である。
【００８６】
カード固有ＩＤは、通常、メモリカード２００毎に割り振られているものであるが、例えばメモリカード２００が複数のパーティションを備える場合には、パーティション毎にカード固有ＩＤ、パスワードを設けることも可能である。また、この場合には、カード固有ＩＤは１つとし、パーティション毎にパスワードのみを異なるものにすることも可能である。これにより、パーティション毎にロック状態としたり、ロック解除状態としたりすることが可能である。
【００８７】
また、パスワード保持テーブル１０１ａにカード固有ＩＤを保存せずに、パスワードのみを保存するようにしてもよい。この場合、カード固有ＩＤに関連付けられたパスワードが取得されるのではなく、例えばパスワード保持テーブル１０１ａにおいて昇順にパスワードが参照されて、所定の条件を満たすものが取得される。
【００８８】
入力手段１０２は、文字や画像、音声を入力するための手段であり、例えば入力キーやカメラ、マイクなどが考えられる。入力手段１０２は、パスワード等を入力する。
【００８９】
電力供給手段１０３は、メモリカード接続手段１０８を介して、メモリカード２００へ電力の供給を行う。
【００９０】
カード固有ＩＤ取得手段１０４は、メモリカード接続手段１０８を介して、メモリカード２００から送信されるカード固有ＩＤを取得し、パスワード保持手段１０１へ保存する。
【００９１】
設定解除手段１０５は、入力手段１０２により入力されたパスワードをパスワード保持手段１０１へ保存する。また、設定解除手段１０５は、メモリカード接続手段１０８を介して、パスワードを設定するためのパスワード設定信号をメモリカード２００へ送信する。パスワード設定信号には、入力手段１０２またはパスワード保持手段１０１からのパスワードや制御信号が含まれる。
【００９２】
また、設定解除手段１０５は、メモリカード接続手段１０８を介して、メモリカード２００のロック状態を解除するためのロック解除信号をメモリカード２００へ送信する。ロック解除信号には、パスワード保持手段１０１または入力手段１０２からのパスワードや制御信号が含まれる。
【００９３】
ロック状態判定手段１０６は、メモリカード２００がパスワードによりロックされている状態か否かを判定する。例えば、メモリカード接続手段１０８を介して、メモリカード２００からロック状態信号を取得し、ロック状態であるか否かを判定する。また、ロック状態判定手段１０６は、メモリカード２００にパスワードが設定されているか否かを判定する。
【００９４】
データアクセス手段１０７は、メモリカード接続手段１０８を介して、メモリカード２００のデータ記憶手段２０２に記憶されたデータへのリード処理やライト処理などを行うためのアクセス信号をメモリカード２００へ送信する。
【００９５】
メモリカード接続手段１０８は、メモリカード２００を接続するための手段であり、例えば接続端子である。例えば、メモリカード２００がメモリカードスロットに挿入され、メモリカード接続手段１０８とメモリカード２００の電子機器接続手段２０１とが接続されることで、データの交換が可能な状態となる。また、メモリカード接続手段１０８は、メモリカード２００が挿入されるなど接続されたことを検出するための機能を有する。
【００９６】
電子機器接続手段２０１は、電子機器１００へ接続するための手段であり、例えば接続端子である。例えば、メモリカード２００がメモリカードスロットに挿入され、電子機器１００のメモリカード接続手段１０８と電子機器接続手段２０１とが接続されることで、データの交換が可能な状態となる。
【００９７】
データ記憶手段２０２は、様々なデータを記憶する。
【００９８】
パスワード判定手段２０３は、ロック解除信号に含まれるパスワードとパスワード保持手段２０４に保持されたパスワードとが同一であるか否かを判定する。また、パスワード判定手段２０３は、電子機器接続手段２０１を介して、パスワード設定信号を取得した場合、パスワード保持手段２０４へパスワード設定信号に含まれるパスワードを保存する。
【００９９】
パスワード保持手段２０４は、メモリカード２００のパスワードを保持する。
【０１００】
ロック手段２０５は、メモリカード２００へ電力供給が行われた場合、データ記憶手段２０２へのアクセスを禁止するためのロックを行い、ロック状態とする。また、ロック手段２０５は、パスワード判定手段２０３によって判定対象のパスワードが同一と判定された場合、ロック状態を解除するためのロック解除を行う。
【０１０１】
また、ロック手段２０５は、ロックを行った場合、電子機器接続手段２０１を介して、ロックされた状態であることを示すロック状態信号を電子機器１００へ送信する。また、ロック手段２０５は、ロック解除を行った場合、電子機器接続手段２０１を介して、ロック解除が完了したことを示すロック解除完了信号を電子機器１００へ送信する。また、ロック手段２０５は、ロック解除に失敗した場合、電子機器接続手段２０１を介して、ロック解除に失敗したことを示すロック解除エラー信号を電子機器１００へ送信するようにしてもよい。
【０１０２】
カード固有ＩＤ送信手段２０６は、電子機器接続手段２０１を介して、カード固有ＩＤを電子機器１００へ送信する。
【０１０３】
次に、電子機器１００の動作の一例について説明する。図３、図４は電子機器１００の動作の一例を示すフローチャートである。
【０１０４】
メモリカード接続手段１０８が、メモリカードスロットへメモリカード２００が挿入されたなど接続されたことを検出した場合（ステップＳ１０１）、電力供給手段１０３が、メモリカード２００へ電力を供給する（ステップＳ１０２）。
【０１０５】
続いて、カード固有ＩＤ取得手段１０４が、メモリカード２００からカード固有ＩＤを取得する（ステップＳ１０３）。
【０１０６】
続いて、ロック状態判定手段１０６が、メモリカード２００がロック状態であるか否かを判定する（ステップＳ１０４）。この判定では、例えば、ロック状態判定手段１０６がメモリカード２００からロック状態信号を取得し、ロック状態であるか否かを判定する。
【０１０７】
尚、ステップＳ１０３およびステップＳ１０４は、順不同である。
【０１０８】
ロック状態でないと判定された場合、電子機器１００はメモリカード２００へのアクセスが可能な状態である。この状態では、ユーザの指示により、メモリカード２００へ様々な設定が可能である。例えば、ユーザがメモリカード２００へパスワードを設定する場合、後述する図１５に示すように、パスワード設定を行うための設定モードを選択し、入力手段１０２が、ユーザの指示により、パスワードを入力する（ステップＳ１０５）。
【０１０９】
続いて、設定解除手段１０５が、入力されたパスワードをメモリカード２００に設定するために、パスワード設定信号を送信する（ステップＳ１０６）。
【０１１０】
続いて、設定解除手段１０５が、取得したカード固有ＩＤと入力されたパスワードとを関連付けて、パスワード保持手段１０１へ保存する（ステップＳ１０７）。これにより、パスワードの設定が完了する。
【０１１１】
ステップＳ１０４において、ロック状態であると判定された場合、設定解除部１０５が、パスワード保持手段１０１に保持されたパスワード保持テーブル１０１ａを参照し、取得したカード固有ＩＤと同一のものが存在するか否を判定する（ステップＳ１０８）。
【０１１２】
同一のカード固有ＩＤが存在した場合、設定解除手段１０５が、パスワード保持手段１０１から当該カード固有ＩＤと関連付けて（対にして）記録されているパスワードを読み出す（ステップＳ１０９）。例えば、図２では、カード固有ＩＤ「ＩＤ１」の場合にパスワード「ＰＷ１」を読み出す。
【０１１３】
続いて、設定解除手段１０５が、読み出されたパスワードを含むロック解除信号を送信する（ステップＳ１１０）。
【０１１４】
続いて、ロック状態判定手段１０６が、ロック解除が成功したか否かを判定する（ステップＳ１１１）。この判定では、例えば、ロック解除信号を送信してから所定期間内にロック解除完了信号を検出した場合に成功と判定してもよいし、ロック解除エラー信号を検出した場合に失敗と判定してもよい。
【０１１５】
ロック解除が成功した場合は、ロック解除の処理が終了する。ロック解除が成功しなかった場合には、ステップＳ１１２の直前へ進む。
【０１１６】
ステップＳ１０８において、同一のカード固有ＩＤが存在しなかった場合、または、ステップＳ１１１において、ロック解除が成功しなかった場合、入力手段１０２が、ユーザの指示により、パスワードを入力する（ステップＳ１１２）。
【０１１７】
続いて、設定解除手段１０５が、入力されたパスワードを含むロック解除信号を送信する（ステップＳ１１３）。
【０１１８】
続いて、ロック状態判定手段１０６が、ロック解除が成功したか否かを判定する（ステップＳ１１４）。この判定では、例えば、ロック解除信号を送信してから所定期間内にロック解除完了信号を検出した場合に成功と判定してもよいし、ロック解除エラー信号を検出した場合に失敗と判定してもよい。ロック解除が成功しなかった場合、ステップＳ１１２の直前に戻る。
【０１１９】
ロック解除が成功した場合は、設定解除手段１０５が、取得したカード固有ＩＤと入力されたパスワードを関連付けて（対にして）、パスワード保持手段１０１へ保存する（ステップＳ１１５）。尚、すでにパスワードが保存されている場合には、入力されたパスワードで更新する。これにより、ロック解除およびパスワード設定の処理が終了する。
【０１２０】
ロック状態が解除されると、データアクセス手段１０７は、データ記憶手段２０２に格納された様々なデータへアクセスし、リード処理、ライト処理等を行うことが可能である。
【０１２１】
このような電子機器１００によれば、メモリカード２００に機能を追加することなく、メモリカード２００のパスワードによるロックを自動的に解除することが可能である。また、メモリカード２００を抜き差ししても、ユーザがパスワードを繰り返し入力することなくロックが解除されるので、利便性が向上する。
【０１２２】
例えば、電子機器１００で一度パスワードの設定やロックの解除に成功したメモリカード２００が接続された場合、電子機器１００のパスワード保持手段１０１にメモリカード２００のカード固有ＩＤおよびパスワードが関連付けて記録されているため、この記録されている情報から自動的にロック解除信号を生成し、メモリカード２００へ送信する。メモリカード２００では、ロック解除信号からパスワードを取り出し、パスワード保持手段２０４内に保持されているパスワードと比較して、一致すれば自動的にロック解除を行うことができる。
【０１２３】
パスワードが一致しない場合としては、電子機器１００に一度接続されてパスワード保持手段１０１へカード固有ＩＤおよびパスワードが記録された後、他の電子機器によってパスワードが変更されたことが考えられる。このように一度設定された後に変更された場合であっても、キー操作等により変更後のパスワードを入力することにより、ロック解除を行うことができる。この場合には、ロック解除を行うとともに、入力されたパスワードをカード固有ＩＤに対応するパスワードとして変更前のパスワードを更新する。したがって、これ以降のメモリカード２００の接続時には、パスワード入力を行うことなく、自動的にロック解除を行うことができる。
【０１２４】
また、電子機器１００にメモリカード２００が初めて接続される場合、パスワード保持手段１０１にメモリカード２００のカード固有ＩＤおよびパスワードが記録されていないため、キー操作等によりパスワードを入力することで、ロック解除を行うことができる。この場合には、ロック解除を行うとともに、カード固有ＩＤと入力されたパスワードとを関連付けてパスワード保持手段１０１へ保存する。したがって、これ以降のメモリカード２００の接続時には、パスワード入力を行うことなく、自動的にロック解除を行うことができる。
【０１２５】
さらに、電子機器１００にメモリカード２００が接続されてメモリカード２００へ電力供給が行われても、メモリカード２００のロック状態が検出されない場合、メモリカード２００へパスワードが設定されていないと考えられる。この場合には、キー操作等によりパスワードを入力することで、パスワードを設定することが可能である。パスワードの設定時には、カード固有ＩＤと入力されたパスワードとを関連付けてパスワード保持手段１０１へ保存する。したがって、これ以降のメモリカード２００の接続時には、電源供給を行うことで自動的にロックされ、パスワード入力を行うことなく、自動的にロック解除を行うことができる。
【０１２６】
尚、メモリカード２００ではなく、ハードディスク等のカード固有ＩＤを保持しない外部記憶装置が電子機器１００に接続された場合には、例えば、パスワード保持テーブル１０１ａに保持されたパスワードを含むロック解除信号を送信し、ロック解除が成功するまで順次テーブル内のパスワードを検索してロック解除信号を生成し、ロック解除信号を受信するまでロック解除信号を送信し続けてもよい。これにより、カード固有ＩＤを保持しない外部記憶装置が電子機器１００に接続された場合であっても、自動的にロック解除を行うことが可能である。
【０１２７】
（第２の実施形態）
図５は本発明の第２の実施形態における電子機器１００Ｂおよびメモリカード２００の概略構成の一例を示す図である。電子機器１００Ｂおよびメモリカード２００において、図１に示した電子機器１００およびメモリカード２００の構成と同一の構成要素については、同一の符号を付し、説明を省略または簡略化する。また、電子機器１００Ｂにおいては、図３、図４に示した電子機器１００の動作と類似しているため、異なる動作についてのみ説明を行う。電子機器１００Ｂとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【０１２８】
電子機器１００Ｂは、電子機器１００の構成要素に加え、電力制御手段１０９を有する。
電力制御手段１０９は、メモリカード２００へ供給する電力を制御する。
【０１２９】
次に、電子機器１００Ｂの動作の一例について説明する。電子機器１００Ｂも電子機器１００と同様に図３、図４の処理を行う。
【０１３０】
メモリカード２００が電子機器１００に接続されているが使用されていない場合には、電力制御手段１０９は、電力供給手段１０３によるメモリカード２００への電力供給を停止するよう制御する。つまり、電子機器１００Ｂは、図３、図４におけるステップＳ１０２〜Ｓ１１５の処理を行わず中止する。ここでは、例えば、所定期間データアクセス手段１０７によるデータアクセス要求が発生しない場合には、メモリカード２００が使用されていないと判断する。
【０１３１】
また、メモリカード２００への電力供給を停止させた状態から使用される場合には、電力制御手段１０９は、電力供給手段１０３によるメモリカード２００への電力供給を再開するよう制御する。つまり、電子機器１００Ｂは、図３、図４におけるステップＳ１０２〜Ｓ１１５の処理を再開する。ここでは、例えば、データアクセス手段１０７によるデータアクセス要求が発生した場合には、メモリカード２００が使用されると判断する。
【０１３２】
このような電子機器１００Ｂによれば、メモリカード２００の消費電力を抑えるためにメモリカード２００への供給電力を制御する場合であっても、ユーザがパスワードを繰り返し入力することなくロックが解除されるため、利便性が向上する。
【０１３３】
（第３の実施形態）
図６は本発明の第３の実施形態における電子機器１００Ｃおよびメモリカード２００の概略構成の一例を示す図である。電子機器１００Ｃおよびメモリカード２００において、図１に示した電子機器１００およびメモリカード２００の構成と同一の構成要素については、同一の符号を付し、説明を省略または簡略化する。電子機器１００Ｃとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【０１３４】
電子機器１００Ｃは、電子機器１００の構成要素に加え、パスワードモード設定手段１１０、パスワード消去手段１１１を有する。
【０１３５】
パスワードモード設定手段１１０は、メモリカード２００のパスワードを操作するためのパスワードモードとして、パスワードを設定するためのパスワード設定モードまたはパスワードを消去するためのパスワード消去モードを設定する。パスワードモードは、入力手段１０２による入力により設定されてもよい。
【０１３６】
パスワード消去手段１１１は、パスワードモードがパスワード消去モードに設定された場合、メモリカード接続手段１０８を介して、メモリカード２００のパスワード保持手段２０４に保持されたパスワードを消去するためのパスワード消去信号をメモリカード２００へ送信する。パスワード消去信号には、パスワード保持手段１０１に保持されたメモリカード２００のパスワードや制御信号が含まれる。
【０１３７】
また、パスワード判定手段２０３は、第１の実施形態のパスワード判定手段の機能に加え、電子機器接続手段２０１を介して、パスワード消去信号を取得した場合、パスワード保持手段２０４を検索し、パスワード消去信号に含まれるパスワードと同一のパスワードを消去する機能を有する。
【０１３８】
次に、電子機器１００Ｃがパスワード消去モードの場合の動作の一例について説明する。図７は電子機器１００Ｃがパスワード消去モードの場合の動作の一例を示す図である。尚、パスワード保持手段１０１には、電子機器１００Ｃに接続されるメモリカード２００のカード固有ＩＤおよびパスワードが保持されているものとする。
【０１３９】
まず、パスワードモード設定手段１１０が、パスワードモードとしてパスワード消去モードを設定する（ステップＳ２０１）。
【０１４０】
続いて、カード固有ＩＤ取得手段１０４が、メモリカード２００からカード固有ＩＤを取得する（ステップＳ２０２）。尚、ステップＳ２０１およびＳ２０２は順不同である。
【０１４１】
続いて、パスワード消去手段１１１が、パスワード保持手段１０１を検索し、取得したカード固有ＩＤと同一のカード固有ＩＤに対応するパスワードを読み出す（ステップＳ２０３）。尚、パスワード保持手段１０１に取得したカード固有ＩＤと同一のカード固有ＩＤが存在しなかった場合、ステップＳ１１２と同様のシーケンスで、ユーザの指示により入力手段１０２がパスワードを入力するようにしてもよい。
【０１４２】
続いて、パスワード消去手段１１１が、読み出したパスワードを含むパスワード消去信号を送信する（ステップＳ２０４）。尚、パスワード消去に成功しなかった場合、ステップＳ１１２と同様のシーケンスで、ユーザの指示により入力手段１０２がパスワードを入力するようにしてもよい。パスワード消去に成功したか否かは、例えば、パスワード消去が完了した旨を示すパスワード消去完了信号をメモリカード２００から受信したか否かで判断可能である。
【０１４３】
このようなパスワード消去モードを設けることにより、パスワード機能を備えておらずパスワードが付加されたメモリカードのデータを読み出すことができない他の電子機器であっても、メモリカード２００のデータを読み出すことが可能となる。
【０１４４】
次に、電子機器１００Ｃがパスワード設定モードの場合の動作の一例について説明する。図８は電子機器１００Ｃがパスワード設定モードの場合の動作の一例を示す図である。尚、パスワード保持手段１０１には、電子機器１００Ｃに接続されるメモリカード２００のカード固有ＩＤおよびパスワードが保持されているものとする。
【０１４５】
まず、パスワードモード設定手段１１０が、パスワードモードとしてパスワード設定モードを設定する（ステップＳ３０１）。
【０１４６】
続いて、カード固有ＩＤ取得手段１０４が、メモリカード２００からカード固有ＩＤを取得する（ステップＳ３０２）。尚、ステップＳ３０１およびＳ３０２は順不同である。
【０１４７】
続いて、設定解除手段１０５が、パスワード保持手段１０１を検索し、取得したカード固有ＩＤと同一のカード固有ＩＤに対応するパスワードを読み出す（ステップＳ３０３）。尚、取得したカード固有ＩＤと同一のカード固有ＩＤが存在しない場合、パスワードを入力手段１０２により入力し、読み出されたパスワードと同様に扱ってもよい。これにより、パスワードが設定されていないメモリカード２００に対しても、確実にパスワードを設定することが可能となる。
【０１４８】
続いて、設定解除手段１０５が、読み出したパスワードを含むパスワード設定信号を送信する（ステップＳ３０４）。
【０１４９】
このようなパスワード設定モードを設けることにより、例えば一度パスワード設定を行ったメモリカード２００についてパスワードの削除や再設定を行う場合には、繰り返しパスワードを入力することなく自動的にメモリカード２００のパスワードを削除すること、パスワードを付加することが可能となり、利便性が向上する。
【０１５０】
（第４の実施形態）
図９は本発明の第４の実施形態における電子機器１００Ｄ、メモリカード２００、およびＩＣカード３００の概略構成の一例を示す図である。電子機器１００Ｄおよびメモリカード２００において、図１に示した電子機器１００およびメモリカード２００の構成と同一の構成要素については、同一の符号を付し、説明を省略または簡略化する。また、電子機器１００Ｄにおいては、図３、図４に示した電子機器１００の動作と類似しているため、異なる動作についてのみ説明を行う。電子機器１００Ｄとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【０１５１】
電子機器１００Ｄは、電力供給手段１０３、カード固有ＩＤ取得手段１０４、設定解除手段１０５、ロック状態判定手段１０６、データアクセス手段１０７、メモリカード接続手段１０８、ＩＣカード接続手段１１２を有して構成される。
【０１５２】
ＩＣカード接続手段１１２は、ＩＣカード３００を接続するための手段であり、例えば接続端子である。例えば、ＩＣカード３００がＩＣカードスロットに挿入されることで、ＩＣカード３００との間でデータの交換が可能な状態となる。
【０１５３】
ＩＣカード３００は、例えばＳＩＭ（Ｓｕｂｓｃｒｉｂｅｒ  Ｉｄｅｎｔｉｔｙ  Ｍｏｄｕｌｅ）カードであり、パスワード保持手段３０１を有する。ＩＣカード３００はＩＣカード３００の識別情報としてＩＣ固有ＩＤを有する。
【０１５４】
パスワード保持手段３０１は、電子機器１００のパスワード保持手段１０１と同様の機能を備えている。また、パスワード保持手段３０１は、各カード固有ＩＤに対応するパスワードとして、ＩＣ固有ＩＤを利用する場合、メモリカード２００毎に任意に設定されたパスワードを保持しなくてもよい。
【０１５５】
次に、電子機器１００Ｄの動作の一例について説明する。電子機器１００Ｄも電子機器１００と同様に図３、図４の処理を行う。
【０１５６】
電子機器１００Ｄは、図３、図４の処理を行う場合、カード固有ＩＤやパスワードの読み出しや保存を、ＩＣカード接続手段１１２を介して、パスワード保持手段３０１に対して行う。つまり、電子機器１００では、入力手段１０２によるパスワード入力を行ったり、パスワード保持手段１０１へカード固有ＩＤおよびパスワードの保存を行ったり、パスワード保持手段１０１からパスワードの読み出しを行ったりしたが、電子機器１００Ｄでは、パスワード保持手段１０１および入力手段１０２の代わりに、ＩＣカード３００のパスワード保持手段３０１を使用して図３、図４の処理を行い、パスワード設定やロック解除を行う。この場合、データ保存やデータ読み出し等のデータ参照を行うために、アクセス要求をＩＣカード３００へ送信する。
【０１５７】
このような電子機器１００Ｄによれば、ＳＩＭカードのようなＩＣカード３００を他の電子機器に挿入して利用する場合であっても、パスワードの再入力をせずにメモリカード２００を利用することができ、利便性が向上する。また、電子機器１００Ｄの機能を有する他の機器にパスワードが格納されたＩＣカードを挿入することで、他の機器にパスワードを移行することも可能である。
【０１５８】
また、パスワード保持手段３０１にパスワードとしてＩＣ固有ＩＤが保持されている場合、ユーザは一切パスワード入力を行うことなく、メモリカード２００のパスワード設定およびロック解除を行うことが可能となる。また、ユーザが暗記しなければならないパスワードの数を減らすことが可能となる。尚、この場合、電子機器１００Ｄでは入力手段１０２によるパスワードの入力は行わずに、自動的にＩＣ固有ＩＤがパスワードとして設定される。
【０１５９】
さらに、パスワードとしてＩＣ固有ＩＤが用いられる場合、パスワードは全てのメモリカード２００で同一であるため、パスワード保持手段３０１を備えなくてもよいし、電子機器１００Ｄ内にパスワード保持手段を備えてもよい。
【０１６０】
（第５の実施形態）
図１０は本発明の第５の実施形態における電子機器１００Ｅおよびメモリカード２００の概略構成の一例を示す図である。電子機器１００Ｅおよびメモリカード２００において、図１に示した電子機器１００およびメモリカード２００の構成と同一の構成要素については、同一の符号を付し、説明を省略または簡略化する。また、電子機器１００Ｅにおいては、図３、図４に示した電子機器１００の動作と類似しているため、異なる動作についてのみ説明を行う。電子機器１００Ｅとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【０１６１】
電子機器１００Ｅは、電子機器１００の構成要素に加え、本体ロック手段１１３を有する。
【０１６２】
パスワード保持手段１０１は、各カード固有ＩＤと電子機器１００Ｅ本体をロックおよびロック解除するためのパスワードとを保持する。
【０１６３】
入力手段１０２は、電子機器１００Ｅ本体をロックおよびロック解除するためのパスワードの入力等を行う。
【０１６４】
本体ロック手段１１３は、電子機器１００Ｅ本体をパスワードによりロックしたりロック解除したりする。本体ロック手段１１２がロック行う部分は、電子機器１００Ｅのすべての機能であっても一部の機能であってもよい。
【０１６５】
次に、電子機器１００Ｅの動作の一例について説明する。電子機器１００Ｅも電子機器１００と同様に図３、図４の処理を行う。
【０１６６】
図３、図４の処理を行う場合、電子機器１００Ｅでは、入力手段１０２によるパスワードの入力は行わずに、パスワードとして、自動的に電子機器１００Ｅ本体のパスワードが設定される。例えば、パスワード設定時やロック解除時には、パスワードを入力する処理（例えば、ステップＳ１０５、ステップＳ１１２）の代わりに、パスワード保持手段１０１に保持された電子機器１００Ｅ本体のパスワードが用いられる。
【０１６７】
このような電子機器１００Ｅによれば、電子機器１００Ｅ本体において使用するパスワードをメモリカード２００のパスワードとして設定することができ、ユーザは一切パスワード入力を行うことなく、メモリカード２００のパスワード設定およびロック解除を行うことが可能となる。さらに、ユーザが暗記しなければならないパスワードの数を減らすことが可能となる。
【０１６８】
（第６の実施形態）
図１１は本発明の第６の実施形態における電子機器１００Ｆ、メモリカード２００、およびＩＣカード３００の概略構成の一例を示す図である。電子機器１００Ｆおよびメモリカード２００において、図１に示した電子機器１００およびメモリカード２００の構成と同一の構成要素については、同一の符号を付し、説明を省略または簡略化する。また、電子機器１００Ｆにおいては、図３、図４に示した電子機器１００の動作と類似しているため、異なる動作についてのみ説明を行う。電子機器１００Ｆとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【０１６９】
電子機器１００Ｆは、電子機器１００の構成要素と比較すると、パスワード保持手段１０１および入力手段１０２を備えておらず、ＩＣカード接続手段１１２、ＩＣ固有ＩＤ変換手段１１４を有する。尚、ＩＣ固有ＩＤ変換手段１１４は「パスワード生成部」としての機能を有する。
【０１７０】
ＩＣカード接続手段１１２は、ＩＣカード３００を接続するための手段であり、例えば接続端子である。例えば、ＩＣカード３００がＩＣカードスロットに挿入されることで、ＩＣカード３００との間でデータの交換が可能な状態となる。
【０１７１】
ＩＣ固有ＩＤ変換手段１１４は、メモリカード２００のカード固有ＩＤとＩＣカード３００のＩＣ固有ＩＤとに基づいてパスワードを生成し、直接、メモリカード２００へのパスワード設定やロック解除を実施するようにパスワードを設定解除手段１０５へ送る。
【０１７２】
ＩＣカード３００は、例えばＳＩＭ（Ｓｕｂｓｃｒｉｂｅｒ  Ｉｄｅｎｔｉｔｙ  Ｍｏｄｕｌｅ）カードである。ＩＣカード３００はＩＣカード３００の識別情報としてＩＣ固有ＩＤを有する。
【０１７３】
次に、電子機器１００Ｆの動作の一例について説明する。電子機器１００Ｆも電子機器１００と同様に図３、図４の処理を行う。
【０１７４】
図３、図４の処理を行う場合、電子機器１００Ｆでは、入力手段１０２によるパスワードの入力は行わずに、ＩＣ固有ＩＤ変換手段１１４によって生成されるパスワードを用いる。パスワード設定時やロック解除時には、パスワードを入力する処理（例えば、ステップＳ１０５、ステップＳ１１２）の代わりに、ＩＣ固有ＩＤ変換手段１１４によるパスワード生成を行い、パスワードを設定解除手段１０５へ送る。
【０１７５】
このような電子機器１００Ｆによれば、ユーザは一切パスワード入力を行うことなく、メモリカード２００のパスワード設定およびロック解除を行うことが可能となる。さらに、メモリカード２００毎に異なるパスワードが設定されるので、セキュリティ上、より安全なパスワードとなる。
【０１７６】
（第７の実施形態）
図１２は本発明の第７の実施形態における電子機器１００Ｇ、メモリカード２００、およびＩＣカード３００の概略構成の一例を示す図である。電子機器１００Ｇおよびメモリカード２００において、図１に示した電子機器１００およびメモリカード２００の構成と同一の構成要素については、同一の符号を付し、説明を省略または簡略化する。また、電子機器１００Ｇにおいては、図３、図４に示した電子機器１００の動作と類似しているため、異なる動作についてのみ説明を行う。電子機器１００Ｇとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【０１７７】
電子機器１００Ｇは、電力供給手段１０３、カード固有ＩＤ取得手段１０４、設定解除手段１０５、ロック状態判定手段１０６、データアクセス手段１０７、メモリカード接続手段１０８、ＩＣカード接続手段１１２、パスワード生成手段１１５を有して構成される。
【０１７８】
ＩＣカード接続手段１１２は、ＩＣカード３００を接続するための手段であり、例えば接続端子である。例えば、ＩＣカード３００がＩＣカードスロットに挿入されることで、ＩＣカード３００との間でデータの交換が可能な状態となる。
【０１７９】
パスワード生成手段１１５は、パスワードを生成し、ＩＣカード接続手段１１２を介してパスワード保持手段３０１へ保存する。パスワード生成の方法としては、例えば、ＩＣカード３００のＩＣ固有ＩＤとメモリカード２００のカード固有ＩＤに基づいて変換や暗号化を行ってパスワードを生成してもよいし、これらに基づかずにランダム値や時間を用いてパスワードを生成してもよい。パスワードの生成は、メモリカード２００のカード固有ＩＤ毎に行われる。
【０１８０】
ＩＣカード３００は、例えばＳＩＭ（Ｓｕｂｓｃｒｉｂｅｒ  Ｉｄｅｎｔｉｔｙ  Ｍｏｄｕｌｅ）カードであり、パスワード保持手段３０１を有する。ＩＣカード３００はＩＣカード３００の識別情報としてＩＣ固有ＩＤを有する。
【０１８１】
パスワード保持手段３０１は、電子機器１００のパスワード保持手段１０１と同様の機能を備えている。また、パスワード保持手段３０１はＩＣカード３００に具備されるのではなく、電子機器１００Ｇに具備しても良い。
【０１８２】
次に、電子機器１００Ｇの動作の一例について説明する。電子機器１００Ｇも電子機器１００と同様に図３、図４の処理を行う。
【０１８３】
図３、図４の処理を行う場合、電子機器１００Ｇでは、入力手段１０２によるパスワードの入力は行わずに、パスワード生成手段１１５によって生成されるパスワードを用いる。パスワード設定時には、パスワードを入力する処理（例えば、ステップＳ１０５、ステップＳ１１２）の代わりに、パスワード生成手段１１５によるパスワード生成を行い、パスワード保持手段３０１へ保存する。
【０１８４】
このような電子機器１００Ｇによれば、ユーザは一切パスワードの入力をすることなく、メモリカード２００のパスワード設定およびロック解除を行うことが可能となる。また、生成されるパスワードは推定困難となり、セキュリティ上、より安全なパスワードとなる。
【０１８５】
（第８の実施形態）
図１３は本発明の第８の実施形態における電子機器１００Ｈおよびメモリカード２００の概略構成の一例を示す図である。電子機器１００Ｈおよびメモリカード２００において、図６に示した電子機器１００Ｃおよびメモリカード２００の構成と同一の構成要素については、同一の符号を付し、説明を省略または簡略化する。電子機器１００Ｈにおいては、図７、図８に示した電子機器１００Ｃの動作と類似しているため、異なる動作についてのみ説明を行う。電子機器１００Ｈとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【０１８６】
電子機器１００Ｈは、電子機器１００Ｃの構成要素に加え、本体ロックモード設定手段１１６を有する。
【０１８７】
本体ロックモード設定手段１１６は、電子機器１００Ｈのロックに関する本体ロックモードとして、電子機器１００Ｈのすべての機能もしくは一部の機能をロックするための本体ロックモード、あるいは、このロックを解除するための本体ロック解除モードとを設定する。尚、本体ロックモードの切り替えには、本体ロックモード切替のためのパスワードなどを要求してもよい。
【０１８８】
次に、電子機器１００Ｈの動作の一例について説明する。電子機器１００Ｈも電子機器１００Ｃと同様に図７、図８の処理を行う。
【０１８９】
本体ロックモード設定手段１１６により本体ロックモードに設定されると、本体ロックモード設定手段１１６は、パスワード設定モードに設定されるようにパスワードモード設定手段１１０を制御する。そして、電子機器１００Ｈは、図８の処理を行う。
【０１９０】
また、本体ロックモード設定手段１１６により本体ロック解除モードに設定されると、本体ロックモード設定手段１１６は、パスワード消去モードに設定されるようにパスワードモード設定手段１１０を制御する。そして、電子機器１００Ｈは、図７の処理を行う。
【０１９１】
このような電子機器１００Ｈによれば、例えば、電子機器１００Ｈの本体ロックおよび本体ロック解除に連動して一度パスワード設定を行ったメモリカード２００についてパスワードの削除や再設定を行う場合には、繰り返しパスワードを入力することなく自動的にメモリカード２００へのパスワードを削除すること、パスワードを付加することが可能となり、利便性が向上する。
【０１９２】
例えば、電子機器１００Ｈを本体ロックモードとし、携帯端末等の電子機器１００Ｈにパスワードによるロックをかけることで、メモリカード２００にパスワードを設定し、ロックをかけることが可能である。したがって、この場合に、メモリカード２００を紛失したりメモリカード２００が盗難にあったり、電子機器１００Ｈを紛失したり電子機器１００Ｈが盗難にあったりしても、メモリカード２００内に記憶されたデータの情報漏洩を防止することが可能である。
【０１９３】
尚、入力手段１０２によるパスワード入力に代わり、電子機器１００Ｈ本体のすべてもしくは一部の機能をロックするためのパスワードをメモリカード２００のパスワードとして利用してもよい。また、他の実施形態で説明したパスワードの生成方法を用いてパスワードを生成し、パスワードとして利用してもよい。
【０１９４】
（第９の実施形態）
本発明の第９の実施形態における電子機器１００Ｉは、電子機器１００、１００Ｂ〜１００Ｈのいずれかの電子機器の構成要素と、図示しない表示部１１７を有する。電子機器１００Ｉは、先の実施形態において説明した処理を行う。電子機器１００Ｉとしては、メモリカード２００等の外部記憶装置を接続可能なＰＣ、ＰＤＡ、携帯電話端末、テレビ、デジタルスチルカメラ、デジタルビデオカメラ、ＩＣレコーダ、プリンタ、ＡＶプレイヤ、ＡＶレコーダ、ＨＤＤポータブルストレージ、カーナビゲーション端末やその他の電子機器が考えられる。
【０１９５】
表示部１１７は、様々なデータの表示を行う。ここでは、主に、パスワード設定済みでありメモリカード２００がロック中であることを示すロック中アイコン、パスワード設定済みでありメモリカード２００がロック解除中であることを示すロック解除中アイコン、メモリカード２００のパスワードが未設定であることを示すパスワード未設定アイコンを表示する。図１４（ａ）は表示を行う電子機器１００Ｉの一例、図１４（ｂ）は表示部１１７が表示するアイコンの一例を示す図である。
【０１９６】
パスワード設定済みでありメモリカード２００がロック中であることは、例えば、メモリカード２００への電力供給後に自動的にロック状態となっていることから認識可能である。例えば、図３のステップＳ１０４において「Ｙｅｓ」である場合、パスワード設定済みロック中である。
【０１９７】
パスワード設定済みでありメモリカード２００がロック解除中であることは、例えば、メモリカード２００への電力供給後に自動的にロック状態となり、その後ロック解除信号によりロック解除が成功したことから認識可能である。例えば、図３のステップＳ１１１において「Ｙｅｓ」である場合やステップＳ１１４において「Ｙｅｓ」である場合、パスワード設定済みロック解除中である。
【０１９８】
パスワード未設定であることは、例えば、メモリカード２００への電力供給後に自動的にロック状態とならないことから認識可能である。例えば、図３のステップＳ１０４において「Ｎｏ」である場合、パスワード未設定である。
【０１９９】
次に、電子機器１００Ｉにおける表示部１１７による表示処理の一例について説明する。
【０２００】
図１５は、パスワードが設定されていないメモリカード２００が接続された場合に、メモリカード２００にパスワードを設定する場合の画面表示例を示す図である。
【０２０１】
電子機器１００Ｉが、例えば電子機器１００、１００Ｂ、１００Ｃと同様に、入力手段１０２によるパスワード入力が必要な場合、まず、図１５（ａ）に示すように、表示部１１７がパスワードの設定画面を表示する。この画面では、パスワード未設定アイコンが表示される。
【０２０２】
続いて、図１５（ｂ）に示すように、表示部１１７がパスワードの入力画面を表示する。この画面では、引き続きパスワード未設定アイコンが表示される。
【０２０３】
続いて、図１５（ｃ）に示すように、表示部１１７がパスワード入力後のロック解除画面を表示する。この画面では、ロック解除中アイコンが表示される。
【０２０４】
図１５の画面表示により、メモリカード２００のパスワードが未設定の状態から、パスワードを設定した後にメモリカードがロック解除状態となったことを瞬時に把握することが可能である。
【０２０５】
図１６は、既にメモリカード２００にパスワードが設定されており、電子機器１００ＩもしくはＩＣカード３００がメモリカード２００のカード固有ＩＤおよびパスワードを保持している場合の画面表示例を示す図である。
【０２０６】
電子機器１００Ｉが、例えば電子機器１００、１００Ｂ、１００Ｃ、１００Ｄ、１００１００Ｆ、１００Ｇと同様に、既にパスワードが設定されており、パスワード保持部１０１もしくはＩＣカード３００にメモリカード２００のカード固有ＩＤおよびパスワードが保持されている場合、パスワードが設定されたメモリカード２００を電子機器１００Ｉへ挿入等する前には、表示部１１７は、例えば図１６（ａ）に示す画面を表示する。また、この画面では、アイコンの表示は行われない。
【０２０７】
続いて、電子機器１００Ｉへメモリカード２００が挿入等され、パスワード保持部１０１等に保持されたパスワードでメモリカード２００の認証が行われた後にロック解除されると、図１６（ｂ）に示すように、表示部１１７がロック解除画面を表示する。この画面では、ロック解除中アイコンが表示される。
【０２０８】
図１６の画面表示により、メモリカード２００が単にパスワード未設定であるのではなく、パスワードが設定されており、パスワード認証後にメモリカード２００がロック解除状態となったことを瞬時に把握することが可能である。
【０２０９】
図１７は、パスワードモード設定メニューの画面表示例を示す図である。
【０２１０】
電子機器１００Ｉが、例えば電子機器１００Ｃと同様に、パスワードモードを設定する場合、図１７（ａ）に示すように、表示部１１７が第１のメニュー画面を表示する。第１のメニュー画面は、パスワード設定モード中であり、パスワード設定モードからパスワード消去モードへの切り替えを行うための画面である。この画面では、ロック解除中アイコンが表示される。
【０２１１】
また、図１７（ｂ）に示すように、表示部１１７が第２のメニュー画面を表示する。第２のメニュー画面は、パスワード消去モード中であり、パスワード消去モードからパスワード設定モードへの切り替えを行うための画面である。この画面では、パスワード未設定アイコンが表示される。
【０２１２】
図１７の画面表示により、メモリカード２００にパスワードが設定されているがロック解除状態となっているとなっているのか、パスワードが設定されていないのかを判断し、パスワードモードを切り替えることが可能となる。
【０２１３】
図１８は、パスワード削除変更メニューの画面表示例を示す図である。
【０２１４】
電子機器１００Ｉが、例えば電子機器１００、１００Ｂと同様に、メモリカード２００に設定されているパスワードを削除もしくは変更する場合、図１８に示すように、表示部１１７がパスワード削除変更メニューを表示する。この画面では、ロック解除中アイコンが表示される。尚、ロック解除に成功した場合のみに、パスワードの削除もしくは変更を許可することで、ユーザにパスワードの確認を行わせる必要が無く、利便性が向上する。
【０２１５】
図１８の画面表示により、メモリカード２００にパスワードが設定されているがロック解除状態となっているとなっているのか、パスワードが設定されていないのかを判断し、パスワードの削除や変更を行うことができる。
【０２１６】
ここで、電子機器１００Ｉがパスワード削除変更を行う場合の動作の一例について簡単に説明する。
【０２１７】
パスワード変更は、入力手段１０２から入力された新パスワードとパスワード保持手段１０１から該当するパスワードを現在のパスワードとして読み出し、設定解除手段１０５が新パスワードと現在のパスワードをメモリカード２００に送信し、メモリカード２００に設定されているパスワードを変更する。またその際に、パスワード保持テーブル１０１ａの該当するパスワードを新パスワードに更新する。
【０２１８】
また、パスワードの削除は、パスワード保持手段１０１から該当するパスワードを現在のパスワードとして読み出し、設定解除手段１０５が現在のパスワードをメモリカード２００に送信し、メモリカード２００に設定されているパスワードを削除する。この際、パスワード消去モードの場合は、パスワード保持テーブル１０１ａからパスワードの削除を行わない。また、パスワード消去モード以外の場合は、パスワード保持テーブル１０１ａからパスワードの削除を行ってもよい。
【０２１９】
図１９は、既にパスワードが設定されているが、電子機器１００ＩもしくはＩＣカード３００がメモリカード２００のカード固有ＩＤおよびカード固有ＩＤに対応しないパスワードを保持している場合の画面表示例を示す図である。
【０２２０】
電子機器１００Ｉが、例えば電子機器１００、１００Ｂ、１００Ｃ、１００Ｄ、１００１００Ｆ、１００Ｇと同様に、既にパスワードが設定されているが、パスワード保持部１０１もしくはＩＣカード３００にメモリカード２００のカード固有ＩＤおよびカード固有ＩＤに対応しないパスワードが保持されている場合、パスワードが設定されたメモリカード２００を電子機器１００Ｉへ挿入等する前には、表示部１１７は、例えば図１９（ａ）に示す画面を表示する。また、この画面では、アイコンの表示は行われない。
【０２２１】
続いて、電子機器１００Ｉへメモリカード２００が挿入等され、パスワード保持部１０１等に保持されたパスワードでメモリカード２００の認証が行われた後、パスワード保持部１０１等に保持されたパスワードとメモリカード２００に保持されたが不一致であるためにロック解除されず、表示部１１７がパスワード認証画面を表示する。入力手段１０２により入力されたパスワードでもロック解除されない場合、図１９（ｂ）に示すように、表示部１１７がロック画面を表示する。この画面では、ロック中アイコンが表示される。
【０２２２】
図１９の画面表示により、メモリカード２００のロック状態が解除されないために、例えば他の電子機器でメモリカード２００のパスワードが変更されたなど、パスワード保持部１０１等に保持されたパスワードがメモリカード２００に保持されたパスワードと異なっていることを瞬時に把握することが可能である。
【０２２３】
このような電子機器１００Ｉによれば、一見してメモリカード２００にパスワードが設定されているか否か、メモリカード２００がロック状態である否かを認識することができる。したがって、例えば、単にパスワードが設定されていないためにロック解除状態となったのか、パスワードが設定されているためにロック状態の後に自動的にロック解除状態となったのかを見分けることができる。
【０２２４】
尚、第１〜第９の実施形態における電子機器の機能を組み合わせることも可能である。例えば、パスワード設定モードおよびパスワード消去モードにおいて、図１２のパスワード生成手段１１５によって生成されたパスワードを用いることも可能である。
【産業上の利用可能性】
【０２２５】
本発明は、外部記憶装置に機能を追加することなく、外部記憶装置のパスワードによるロックを自動的に解除することが可能な電子機器、プログラム等に有用である。
【符号の説明】
【０２２６】
１００  電子機器
１０１  パスワード保持手段
１０２  入力手段
１０３  電力供給手段
１０４  カード固有ＩＤ取得手段
１０５  設定解除手段
１０６  ロック状態判定手段
１０７  データアクセス手段
１０８  メモリカード接続手段
１０９  電力制御手段
１１０  パスワードモード設定手段
１１１  パスワード消去手段
１１２  ＩＣカード接続手段
１１３  本体ロック手段
１１４  ＩＣ固有ＩＤ変換手段
１１５  パスワード生成手段
１１６  本体ロックモード設定手段
１１７  表示部
２００  メモリカード
２０１  電子機器接続手段
２０２  データ記憶手段
２０３  パスワード判定手段
２０４  パスワード保持手段
２０５  ロック手段
２０６  カード固有ＩＤ送信手段
３００  ＩＣカード
３０１  パスワード保持手段
【手続補正３】
【補正対象書類名】図面
【補正対象項目名】全図
【補正方法】変更
【補正の内容】
【図１】
2009028052.tif 000022
【図２】
2009028052.tif 000023
【図３】
2009028052.tif 000024
【図４】
2009028052.tif 000025
【図５】
2009028052.tif 000026
【図６】
2009028052.tif 000027
【図７】
2009028052.tif 000028
【図８】
2009028052.tif 000029
【図９】
2009028052.tif 000030
【図１０】
2009028052.tif 000031
【図１１】
2009028052.tif 000032
【図１２】
2009028052.tif 000033
【図１３】
2009028052.tif 000034
【図１４】
2009028052.tif 000035
【図１５】
2009028052.tif 000036
【図１６】
2009028052.tif 000037
【図１７】
2009028052.tif 000038
【図１８】
2009028052.tif 000039
【図１９】
2009028052.tif 000040
【国際調査報告】
2009028052.tif 000041
2009028052.tif 000042
2009028052.tif 000043
2009028052.tif 000044
2009028052.tif 000045
2009028052.tif 000046
2009028052.tif 000047
2009028052.tif 000048